(57)【要約】【課題】    利用者の嗜好に適合した情報を表示する。【解決手段】    本発明の情報表示装置は、周辺情報を保持する周辺情報保持部と、選択指示を受けて選択された周辺情報に関する情報を登録情報として保持する登録情報保持部と、登録情報に基づき利用者の嗜好に応じた周辺情報の選択情報を設定する嗜好分析部と、画像情報を取り込む撮影部と、撮影部の略位置を示す位置情報を取得する位置情報取得部と、略位置の所定の範囲に入る周辺情報を検索し検索後の周辺情報を選択情報に基づき整列する検索部と、検索部によって整列された選択情報のうち整列順の上位の周辺情報と前記画像情報とを重ねて又は合成して表示する情報表示部とを備えることを特徴とする。【選択図】      図２
2011243183.tif 000002
【特許請求の範囲】
【請求項１】
対象物の情報を含む周辺情報を保持する周辺情報保持部と、
前記周辺情報の選択指示を受けて選択された前記周辺情報に関する情報を登録情報として保持する登録情報保持部と、
前記登録情報に基づき、利用者の嗜好に応じた前記周辺情報の選択情報を設定する嗜好分析部と、
画像情報を取り込む撮影部と、
前記撮影部の略位置を示す位置情報を取得する位置情報取得部と、
前記略位置の所定の範囲に入る前記周辺情報を検索し、前記検索後の前記周辺情報を前記選択情報に基づき整列する検索部と、
前記検索部によって整列された選択情報のうち整列順の上位の周辺情報と前記画像情報とを重ねて又は合成して表示する情報表示部と
を備えることを特徴とする情報表示装置。
【請求項２】
前記登録情報保持部に登録情報を追加又は修正する情報登録部を備えることを特徴とする請求項１に記載の情報表示装置。
【請求項３】
前記嗜好分析部が、前記登録情報に基づく嗜好分析情報を求め、前記嗜好分析情報に含まれる嗜好に関連する前記周辺情報を抽出し、
前記情報登録部が、前記関連する周辺情報を前記登録情報に追加することを特徴とする請求項１又は請求項２に記載の情報表示装置。
【請求項４】
対象物の情報を含む周辺情報を保持する周辺情報保持部と、
前記周辺情報の選択指示を受けて選択された前記周辺情報に関する情報を登録情報として保持する登録情報保持部と、
画像情報を取り込む撮影部と、
前記撮影部の略位置を示す位置情報を取得する位置情報取得部と、
前記略位置の所定の範囲に入る前記周辺情報を検索し、前記検索結果の周辺装置に前記登録情報に登録されている周辺情報を検索する検索部と、
前記検索部の検索の結果、前記登録情報に登録されている周辺情報が有った場合に通知を行う通知部を備えることを特徴とする情報表示装置。
【請求項５】
対象物の情報を含む周辺情報を保持する周辺情報保持部と、
前記周辺情報の選択指示を受けて選択された前記周辺情報に関する情報を登録情報として保持する登録情報保持部と、
前記登録情報に基づき、利用者の嗜好に応じた前記周辺情報の選択情報を設定する嗜好分析部と、
位置情報を取得する位置情報取得部と、
前記位置情報の所定の範囲に入る前記周辺情報を検索し、前記検索後の前記周辺情報を前記選択情報に基づき整列する検索部と
を備えることを特徴とする情報表示サーバ。
【請求項６】
画像情報を取り込む撮影部と、
前記撮影部の略位置を示す位置情報を取得する位置情報取得部と、
前記撮影部の略位置を示す位置情報を送信し、前記略位置の所定の範囲に入る整列された周辺情報を取得し、前記整列された周辺情報のうちの整列順の上位の周辺情報と前記画像情報とを重ねて又は合成して表示する情報表示部と
を備えることを特徴とする情報表示端末。
【請求項７】
対象物の情報を含む周辺情報を保持し、
前記周辺情報の選択指示を受けて選択された前記周辺情報に関する情報を登録情報として保持し、
前記登録情報に基づき、利用者の嗜好に応じた前記周辺情報の選択情報を設定し、
画像情報を取り込み、
前記画像情報の取り込みの略位置を示す位置情報を取得し、
前記略位置の所定の範囲に入る前記周辺情報を検索し、
前記検索後の前記周辺情報を前記選択情報に基づき整列し、
前記整列された選択情報のうち整列順の上位の周辺情報と前記画像情報とを重ねて又は合成して表示する
ことを特徴とする情報表示方法。
【請求項８】
対象物の情報を含む周辺情報を保持し、
前記周辺情報の選択指示を受けて選択された前記周辺情報に関する情報を登録情報として保持し、
画像情報を取り込み、
画像情報の取り込みの略位置を示す位置情報を取得し、
前記略位置の所定の範囲に入る前記周辺情報を検索し、前記検索結果の周辺装置から前記登録情報に登録されている周辺情報を検索し、
検索の結果、前記登録情報に登録されている周辺情報が有った場合に通知を行うことを特徴とする情報表示方法。
【請求項９】
対象物の情報を含む周辺情報を保持する処理と、
前記周辺情報の選択指示を受けて選択された前記周辺情報に関する情報を登録情報として保持する処理と、
前記登録情報に基づき、利用者の嗜好に応じた前記周辺情報の選択情報を設定する処理と、
画像情報を取り込む処理と、
前記画像情報の取り込みの略位置を示す位置情報を取得する処理と、
前記略位置の所定の範囲に入る前記周辺情報を検索する処理と、
前記検索後の前記周辺情報を前記選択情報に基づき整列する処理と、
前記整列された周辺情報のうち整列順の上位の周辺情報と前記画像情報とを重ねて又は合成して表示する処理とを
コンピュータに実行させることを特徴とする情報表示プログラム。
【請求項１０】
対象物の情報を含む周辺情報を保持する処理と、
前記周辺情報の選択指示を受けて選択された前記周辺情報に関する情報を登録情報として保持する処理と、
画像情報を取り込む処理と、
画像情報の取り込みの略位置を示す位置情報を取得する処理と、
前記略位置の所定の範囲に入る前記周辺情報を検索し、前記検索結果の周辺装置から前記登録情報に登録されている周辺情報を検索する処理と、
検索の結果、前記登録情報に登録されている周辺情報が有った場合に通知を行う処理をコンピュータに実行させることを特徴とする情報表示プログラム。
【発明の詳細な説明】
【技術分野】
【０００１】
本発明は、位置情報を基に画像に情報を付加する情報システムに関し、特に、付加する情報を選択する情報表示装置、情報表示システム、情報表示サーバ、情報表示端末、情報表示方法、及び、情報表示プログラムに関する。
【背景技術】
【０００２】
近年、ナビゲーション(navigation)装置又は携帯端末は、ＧＰＳ（Global Positioning System：全地球測位システム）を使用して地図情報及び地図上の位置情報を表示する。さらに、登録された目的地又はランドマーク（Landmark）となる建物の位置を所定の図形として地図情報に表示する（例えば、特許文献１、２を参照）。
【０００３】
また、ナビゲーション装置は、位置情報を基にその位置にある建物又はいくつかの建物からなる施設、さらにそれらの中に設けられた店、部屋、又は、広間といった対象物に関連する情報を表示する（例えば、特許文献３を参照）。
【０００４】
また、利用者の利便性を向上するために、携帯端末が、ＧＰＳを用いた位置情報を基に、利用者に鳴動又は音声アラームを用いた通知する（例えば、特許文献４を参照）。
【０００５】
さらに、携帯端末に搭載された撮影装置（例えばカメラ）で撮影した画像に、情報を付加して表示する拡張現実(Augmented Reality、以下ＡＲと言う場合もある)を提供するシステムも使用されるようになってきている。ＡＲでは、位置情報に加え、方向検出手段を用いて求めた方向情報も利用されている。ＡＲにおいても、利用者が、建物又は施設の情報を追加する（例えば、特許文献５を参照）。
【０００６】
このような建物又は施設に関する情報、さらには所定の場所及びその周辺に関する情報は、複数の情報を含んでいる。そのため、撮影装置の撮影条件、又は、利用者がネットワーク・コミュニティに登録している嗜好の情報を基に、表示装置に表示する情報が選択される（例えば、特許文献６を参照）。
【先行技術文献】
【特許文献】
【０００７】
【特許文献１】特開２００２−１３９３２７
【特許文献２】特開２００３−０２１５２１
【特許文献３】特開２００７−２７１３６６
【特許文献４】特開２００９−１７７６０７
【特許文献５】特開２００８−０７１２９８
【特許文献６】特開２００９−０１７５４０
【発明の概要】
【発明が解決しようとする課題】
【０００８】
ネットワーク・コミュニティは、所定のテーマについて利用者間で情報を共有する仕組みである。通常、コミュニティのテーマは、利用者の嗜好の一部と一致しているが、利用者の嗜好と全てが一致しているわけではない。
【０００９】
例えば、鎧を嗜好している利用者が、戦国武将のコミュニティに参加していた場合、コミュニティのテーマでの選択は、生家、博物館、合戦場、又は、所縁の地のようないろいろな場所の情報が選択されるが、使用者にとって鎧を備えた施設以外の情報は、不要である。
【００１０】
さらに、利用者が情報を利用する必要が発生した対象物、又は、利用者が訪れた場所にある対象物が、コミュニティのテーマに沿っているとは限らない。
【００１１】
このように、特許文献６に記載の発明のようにコミュニティに登録されている嗜好情報を基に行われる情報の選択は、利用者が必要としている情報の関して最適な選択とはならないという問題点があった。
【００１２】
また、利用者が登録した情報は、他の特定の者にとっても有効度が高い情報の場合も有る。例えば、利用者が、自分が行ったレストランに関する情報を、特定の友人に優先して通知したい場合である。しかし、特許文献５に記載の情報表示システムは、情報を共有することはできるが、その共有は、他の情報と同じ扱いとなる。そのため、特許文献５に記載の情報表示システムは、特定の利用者を指定して優先的に情報を表示することができないという問題点があった。
【００１３】
また、特許文献４に記載のアラームは、予め起きる駅など鳴動場所を指定するものであり、利用者が登録した周辺情報に関連して鳴動することができないという問題点があった。
【００１４】
本発明の目的は、上記問題点を解決し、利用者に有効な対象物に関する情報を表示する情報表示装置、情報表示システム、情報表示サーバ、情報表示端末、情報表示方法、及び、情報表示プログラムを提供することにある。
【課題を解決するための手段】
【００１５】
本発明の情報表示装置は、対象物の情報を含む周辺情報を保持する周辺情報保持部と、前記周辺情報の選択指示を受けて選択された前記周辺情報に関する情報を登録情報として保持する登録情報保持部と、前記登録情報に基づき、利用者の嗜好に応じた前記周辺情報の選択情報を設定する嗜好分析部と、画像情報を取り込む撮影部と、前記撮影部の略位置を示す位置情報を取得する位置情報取得部と、前記略位置の所定の範囲に入る前記周辺情報を検索し、前記検索後の前記周辺情報を前記選択情報に基づき整列する検索部と、前記検索部によって整列された選択情報のうち整列順の上位の周辺情報と前記画像情報とを重ねて又は合成して表示する情報表示部とを備えることを特徴とする。
【００１６】
本発明の別の情報表示装置は、対象物の情報を含む周辺情報を保持する周辺情報保持部と、前記周辺情報の選択指示を受けて選択された前記周辺情報に関する情報を登録情報として保持する登録情報保持部と、画像情報を取り込む撮影部と、前記撮影部の略位置を示す位置情報を取得する位置情報取得部と、前記略位置の所定の範囲に入る前記周辺情報を検索し、前記検索結果の周辺装置に前記登録情報に登録されている周辺情報を検索する検索部と、前記検索部の検索の結果、前記登録情報に登録されている周辺情報が有った場合に通知を行う通知部を備えることを特徴とする。
【００１７】
本発明の情報表示サーバは、対象物の情報を含む周辺情報を保持する周辺情報保持部と、前記周辺情報の選択指示を受けて選択された前記周辺情報に関する情報を登録情報として保持する登録情報保持部と、前記登録情報に基づき、利用者の嗜好に応じた前記周辺情報の選択情報を設定する嗜好分析部と、位置情報を取得する位置情報取得部と、
前記位置情報の所定の範囲に入る前記周辺情報を検索し、前記検索後の前記周辺情報を前記選択情報に基づき整列する検索部とを備えることを特徴とする。
【００１８】
本発明の情報表示端末は、画像情報を取り込む撮影部と、前記撮影部の略位置を示す位置情報を取得する位置情報取得部と、前記撮影部の略位置を示す位置情報を送信し、前記略位置の所定の範囲に入る整列された周辺情報を取得し、前記整列された周辺情報のうちの整列順の上位の周辺情報と前記画像情報とを重ねて又は合成して表示する情報表示部とを備えることを特徴とする。
【００１９】
本発明の情報表示方法は、対象物の情報を含む周辺情報を保持し、前記周辺情報の選択指示を受けて選択された前記周辺情報に関する情報を登録情報として保持し、前記登録情報に基づき、利用者の嗜好に応じた前記周辺情報の選択情報を設定し、画像情報を取り込み、前記画像情報の取り込みの略位置を示す位置情報を取得し、前記略位置の所定の範囲に入る前記周辺情報を検索し、前記検索後の前記周辺情報を前記選択情報に基づき整列し、前記整列された選択情報のうち整列順の上位の周辺情報と前記画像情報とを重ねて又は合成して表示することを特徴とする。
【００２０】
本発明の別の情報表示方法は、対象物の情報を含む周辺情報を保持し、前記周辺情報の選択指示を受けて選択された前記周辺情報に関する情報を登録情報として保持し、画像情報を取り込み、画像情報の取り込みの略位置を示す位置情報を取得し、前記略位置の所定の範囲に入る前記周辺情報を検索し、前記検索結果の周辺装置から前記登録情報に登録されている周辺情報を検索し、検索の結果、前記登録情報に登録されている周辺情報が有った場合に通知を行うことを特徴とする。
【００２１】
本発明の情報表示プログラムは、対象物の情報を含む周辺情報を保持する処理と、前記周辺情報の選択指示を受けて選択された前記周辺情報に関する情報を登録情報として保持する処理と、前記登録情報に基づき、利用者の嗜好に応じた前記周辺情報の選択情報を設定する処理と、画像情報を取り込む処理と、前記画像情報の取り込みの略位置を示す位置情報を取得する処理と、前記略位置の所定の範囲に入る前記周辺情報を検索する処理と、前記検索後の前記周辺情報を前記選択情報に基づき整列する処理と、前記整列された周辺情報のうち整列順の上位の周辺情報と前記画像情報とを重ねて又は合成して表示する処理とをコンピュータに実行させることを特徴とする。
【００２２】
本発明の別の情報表示プログラムは、対象物の情報を含む周辺情報を保持する処理と、前記周辺情報の選択指示を受けて選択された前記周辺情報に関する情報を登録情報として保持する処理と、画像情報を取り込む処理と、画像情報の取り込みの略位置を示す位置情報を取得する処理と、前記略位置の所定の範囲に入る前記周辺情報を検索し、前記検索結果の周辺装置から前記登録情報に登録されている周辺情報を検索する処理と、検索の結果、前記登録情報に登録されている周辺情報が有った場合に通知を行う処理をコンピュータに実行させることを特徴とする。
【発明の効果】
【００２３】
本発明によれば、利用者が必要としている対象物に関する情報を、利用者にとって有効な順序で表示することができる。
【図面の簡単な説明】
【００２４】
【図１】本発明における第１の実施の形態に係る情報表示システムの構成の一例を示すブロック図である。
【図２】第１の実施の形態に係るサーバの構成の一例を示すブロック図である。
【図３】第１の実施の形態に係る認証情報の一例を示す図である。
【図４】第１の実施の形態に係る周辺情報の一例を示す図である。
【図５】第１の実施の形態に係る登録情報の一例を示す図である。
【図６】第１の実施の形態に係る端末装置の構成の一例を示すブロック図である。
【図７】第１の実施の形態に係る認証動作の一例を示すシーケンス図である。
【図８】第１の実施の形態に係るマーキングの登録動作の一例を示すシーケンス図である。
【図９】第１の実施の形態に係るレジストの登録動作の一例を示すシーケンス図である。
【図１０】第１の実施の形態に係るグループの登録動作の一例を示すシーケンス図である。
【図１１】第１の実施の形態に係るグループの登録動作の一例を示すフローチャート図である。
【図１２】第１の実施の形態に係る登録情報の順番の設定動作の一例を示すシーケンス図である。
【図１３】第１の実施の形態に係る情報の表示動作の一例を示すシーケンス図である。
【図１４】第１の実施の形態に係る情報の表示動作の別の例を示すシーケンス図である。
【図１５】第１の実施の形態に係るサーバの構成の別の例を示すブロック図である。
【図１６】第１の実施の形態に係る端末装置の構成の別の例を示すブロック図である。
【図１７】第１の実施の形態に係る情報表示装置の構成の一例を示すブロック図である。
【図１８】第1の実施の形態に係る情報表示装置の別の構成の一例を示すブロック図である。
【図１９】第３の実施の形態に係るサーバの構成の一例を示すブロック図である。
【図２０】第３の実施の形態に係る端末装置の構成の一例を示すブロック図である。
【図２１】第３の実施の形態に係る表示動作の一例を示すシーケンス図である。
【発明を実施するための形態】
【００２５】
次に、本発明の実施の形態について図面を参照して詳細に説明する。
【００２６】
まず、本実施の形態の説明における用語について整理を行う。
【００２７】
「対象物」とは、所定の場所又は物のことである。「対象物」は、例えば、場所の名称又は住所で指定される土地そのもの、川や池といった自然物、土地に建っているビルのような建物や建造物、建物や広場を含んだ公園又は高速道路のような人工の施設を含んでいる。さらに、「対象物」は、建物又は施設の一部、例えば、部屋、広間、フロア、又は、所定の範囲を占有する店や事務所も含むものとする。
【００２８】
「周辺情報」とは、上記対象物に関する情報であり、例えば地図情報における対象物の位置の情報、地図上に表示する記号、写真の情報、又は、対象物を説明する情報を含んでいる。なお、本実施の形態に係る情報表示システムは、「周辺情報」を初期の状態から保持しているとして説明を行う。
【００２９】
「登録情報」とは、利用者又は情報表示システムが選択した「周辺情報」に関する情報、及び、利用者が情報表示システムに登録した情報を含む情報である。なお、本実施の形態に係る情報表示システムの説明における「登録情報」は、「周辺情報」と「利用者」とを関連付ける情報として説明を行うが、「登録情報」は、これに限られるわけではない。例えば、「登録情報」は、「周辺情報」とは別のデータとして保持せず、「周辺情報」が「登録情報」も含むようにしても良い。反対に、「登録情報」が、関連する「周辺情報」を複製して含むようにしても良い。
【００３０】
また、本実施の形態に係る情報表示システムの説明では、「登録情報」は、次の４種類を含むものとしている。
【００３１】
（１）「レコメンド(recommend)」は、情報表示システムが利用者のために登録する情報である。
【００３２】
（２）「マーキング(marking)」は、利用者が周辺情報から選択した情報である。
【００３３】
（３）「レジスト(register)」は、情報表示システムを利用する利用者が情報表示システムに登録する情報である。
【００３４】
（４）「グループ(group)」は、利用者が他の利用者に共有として登録する情報である。
【００３５】
「付加情報」とは、撮影部が撮影した画像情報と重ねて又は合成して表示するために、上記の「対象物」に関する「周辺情報」又は「登録情報」から選択した情報である。
【００３６】
「サーバ（Server）」とは、処理装置（例えば、ＣＰＵ（Central Processing Unit））と、記憶装置（ＲＯＭ（Read Only Memory）、ＲＡＭ（Random Access Memory）、ＨＤＤ（Hard Disc Drive））とを含んだコンピュータ装置である。サーバが保持している情報は、記憶装置に保存され、適宜、処理装置から情報の読み出し及び書き込みが行われる。
【００３７】
「端末装置」も、「サーバ」と同様にコンピュータ装置である。ただし、「端末装置」は、「サーバ」とは異なるハードウェア（Hardware）で構成してもよい。
（第１の実施の形態）
図１は、第１の実施の形態に係る情報表示システム１の構成の一例を示すブロック図である。
【００３８】
第１の実施の形態に係る情報表示システム１は、情報の保持、更新、追加、及び、検索を行うサーバ１０と、情報の表示を行う端末装置２０と、サーバ１０と端末装置２０との接続の中継を行うネットワーク３０と、基地局４０とを含む。
【００３９】
サーバ１０は、後ほど詳細に説明を行うが、端末装置２０から所定の情報（例えば、位置情報）を受け取り、所定の処理を行い、端末装置２０に情報（例えば、地図情報又は周辺情報）を送り返す。
【００４０】
端末装置２０は、後ほど詳細に説明を行うが、所定の情報（例えば、位置情報）を取得しサーバ１０に送信し、サーバ１０から所定の情報（例えば、地図情報又は周辺情報）を受け取る。さらに、端末装置２０は、受け取った情報の表示を行う。
【００４１】
ネットワーク３０は、サーバ１０と基地局４０との接続を行う。ネットワーク３０が行うサーバ１０と基地局４０とを接続する処理は、例えば、インターネット又はＬＡＮ(Local Area Network)といった、一般的なネットワークの処理でよく、詳細な説明は省略する。
【００４２】
基地局４０は、端末装置２０とネットワーク３０とを中継する無線基地局である。基地局４０が端末装置２０とネットワーク３０とを接続する処理は、例えば、携帯電話の基地局又は無線ＬＡＮのアクセスポイントといった一般的な基地局で行う中継処理であればよく、詳細な説明は省略する。なお、本実施の形態に係る端末装置２０は、無線を使用してネットワーク３０と接続するため、基地局４０を使用しているが、本実施の形態に係る端末装置２０の接続は、無線通信に限られるわけではない。例えば、端末装置２０は、無線通信を備えず、ＵＳＢ（Universal Serial Bus）又は通常の有線のＬＡＮのポート（port）を備え、図示しない無線中継装置と接続して、基地局４０と接続してもよい。さらに、端末装置２０は、有線のＬＡＮのポートを備え、ネットワーク３０に直接接続しても良い。
【００４３】
次に、第１の実施の形態に係るサーバ１０の構成について図面を参照して説明を行う。
【００４４】
図２は、第１の実施の形態に係るサーバ１０の構成の一例を示すブロック図である。
【００４５】
サーバ１０は、制御部１００と、認証部１０１と、検索部１０２と、表示処理部１０３と、情報登録部１０４と、嗜好分析部１０５と、書き込み処理部１０６とを含む。さらに、サーバ１０は、端末装置２０（又は端末装置２０の利用者）の認証に関する情報（以下、認証情報と言う）を保持している認証情報保持部１２０と、所定の対象物の情報である周辺情報を保持している周辺情報保持部１２１と、利用者の指示を元に端末装置２０が登録の依頼を行った登録情報を保持している登録情報保持部１２２とを含む。なお、登録情報保持部１２２は、後ほど説明を行う嗜好分析結果に基づいた登録情報も保持する。また、サーバ１０は、端末装置２０との接続を行う端末接続部１３０と、図示しない他の装置又はネットワークと接続を行う外部接続部１３１とを含む。
【００４６】
制御部１００は、例えば、ＣＰＵ(Central Processing Unit)のような処理装置及びメモリのような記憶装置を含み、サーバ１０の各部の動作の制御を行う。
【００４７】
認証部１０１は、認証情報を基に、サーバ１０に接続要求してきた端末装置２０（又は、端末装置２０の利用者）の認証を行う。
【００４８】
検索部１０２は、周辺情報及び登録情報から指定された条件に合致する情報を検索する。
【００４９】
表示処理部１０３は、端末装置２０で表示する情報の処理を行う。
【００５０】
情報登録部１０４は、周辺情報と登録情報とに保持されている情報の登録、更新、削除を行う。なお、情報登録部１０４は、図示しないシステムの管理装置から指示を受けて、周辺情報、又は、認証情報の登録、更新、削除を行っても良い。
【００５１】
嗜好分析部１０５は、登録情報の一部又は全部に基づき利用者の嗜好に関する情報（以下、嗜好情報と言う）を算出する。
【００５２】
書き込み処理部１０６は、端末装置２０の利用者の指示に基づき、端末装置２０から受け取った情報を周辺情報又は登録情報に登録する。
【００５３】
認証情報保持部１２０は、端末装置２０（又は端末装置２０の利用者）の認証に使用する認証情報を保持している。サーバ１０は、端末装置２０から何かの処理の要求を受けた場合、要求をした端末装置２０に応答してよいかどうかを、サーバ１０の認証部１０１が、認証を行う。認証情報保持部１２０は、この認証部１０１の認証処理に使用する認証情報を保持している。
【００５４】
認証情報について図面を参照して、さらに説明を行う。
【００５５】
図３は、認証情報の一例を示す図である。
【００５６】
図３に示す認証情報は、利用者を識別するために一意に設定された識別子(ＩＤ：identifier)である「利用者ＩＤ」と、認証に使用する「パスワード」と、利用者に関連する情報（図３では、「姓名」と「住所」）を含んでいる。認証部１０１は、端末装置２０から、利用者ＩＤとパスワードを受け取り、認証情報保持部１２０が保持している認証情報の利用者ＩＤとパスワードを比較し、端末装置２０の認証を行う。
【００５７】
なお、サーバ１０における端末装置２０の認証処理は、既に説明を行った利用者ＩＤとパスワードとを用いた認証に限らず、他の認証処理を使用してもよく、例えば、サーバ１０は、利用者の認証として、ＲＡＤＩＵＳ（Remote Authentication Dial In User Service）のように図示しない外部の認証サーバを使用してもよい。
【００５８】
また、本実施の形態に係る認証情報は、情報表示システム１の管理者又は図示しない外部の装置から、予めサーバ１０に登録されているとし、認証情報の登録の処理の詳細な説明を省略する。
【００５９】
図２の戻り、サーバ１０の説明を続ける。
【００６０】
周辺情報保持部１２１は、所定の位置の対象物に関連する情報である周辺情報を保持している。本実施の形態に係る周辺情報は、後ほど説明を行う「レジスト」で登録される周辺情報を除き、認証情報と同様に、予めサーバ１０に保存されているとし、「レジスト」を除いた周辺情報の登録処理の詳細な説明は省略する。表示処理部１０３は、この周辺情報を使用して、端末装置２０で表示する表示用の周辺情報の作成を行う。
【００６１】
周辺情報について図面を参照して、さらに説明を行う。
【００６２】
図４は、周辺情報の一例を示す図である。
【００６３】
図４に示す周辺情報の一例は、対象物に関する情報として、「対象物ＩＤ」と、「名称」と、「カテゴリ(Category：種類)」と、「緯度」と「経度」と、「概要」と、「関連情報」と、「関連キーワード(key word)」とを含む。
【００６４】
「対象物ＩＤ」は、対象物を識別するために、一意に設定された識別子である。「名称」は、対象物の名称である。図４では示していないが、「名称」は、正式名称と通称とを含んでいても良い。「カテゴリ」は、対象物を分類する場合の種別である。カテゴリは、複数階層の階層構造を備えていてもよい。「緯度」と「経度」とは、対象物が存在する緯度と経度とを示している。なお、本実施の形態に説明において、緯度と経度とは、１つの値として示しているが、対象物が占める範囲を示すために幅を持った値としてもよい。「概要」は、対象物に関する情報である。本実施の形態に係る表示処理部１０３は、「概要」を基に、端末装置２０で表示する対象物の情報の作成を行う。「関連情報」は、概要に追加又は関連する情報を保持している。この関連情報は、例えば、対象物のインターネット上のアドレスに相当するＵＲＬ(Uniform Resource Locator)である。また、本実施の形態に係る表示処理部１０３は、「関連情報」を表示する情報に含めても良い。「関連キーワード」は、検索部１０２が検索を行うときに使用するキーワードを保持している。
【００６５】
一例として図４の１行目の情報を参照して説明すると、次のようになる。
【００６６】
１行目の情報は、対象物ＩＤが「000001」、名称が「××寺」、カテゴリが「寺」、緯度と経度とが「N34.******、E135.******」、概要が「西暦7xx年に創立された寺院です。〜」、追加情報は「http://www.xxx.xxx.jp/」、キーワードが「寺、奈良県奈良市〜、〒ｘｘｘ」となる。つまり１行目の情報は、カテゴリが「寺」である「××寺」は、「N34.******、E135.******」に建っており、概要が「西暦7xx年に創立された寺院です。〜」であり、ＵＲＬが「http://www.xxx.xxx.jp/」となっている。また、「××寺」は、対象物ＩＤが「000001」で、キーワードとして「寺」と「奈良県奈良市〜」と「〒ｘｘｘ」とを保持していることとなる。
【００６７】
図２の戻り、サーバ１０の説明を続ける。
【００６８】
登録情報保持部１２２は、登録情報を保持している。表示処理部１０３は、登録情報も使用して端末装置２０に表示する情報の作成を行う。
【００６９】
登録情報について図面を参照して、さらに説明を行う。
【００７０】
図５は、登録情報の一例を示す図である。
【００７１】
図５に示す登録情報は、利用者毎に整理して保存した場合の一例を示している。ただし、登録情報は、これに限られるわけではない。例えば、登録情報は、利用者毎に別ファイルとして保存してもよく、リレーショナルデータベースのように、情報をまとめて保存し、利用者毎に情報を抽出するようにしてもよい。
【００７２】
図５に示す第１の実施の形態に係る登録情報の一例は、「利用者ＩＤ」と、「対象物ＩＤ」と、「登録分類」と、「登録者」と、「順番」とを含んで構成されている。
【００７３】
「利用者ＩＤ」は、登録情報が登録されている利用者のＩＤを示し、図３に示す認証情報の利用者ＩＤと同じＩＤ情報である。「対象物ＩＤ」は、登録情報の対象となる対象物を示すＩＤであり、図４に示す周辺情報の対象物ＩＤと同じＩＤ情報である。この利用者ＩＤと対象物ＩＤとに基づき、利用者と周辺情報の対象物とが、関連付けされることとなる。
【００７４】
「登録分類」は、登録情報の区別を示すものである。本実施の形態に係る登録分類は、既に説明したとおり４種類、つまり、「レコメンド(recommend)」、「マーキング(marking)」、「レジスト(register)」、及び「グループ(group)」を含んでいる。
【００７５】
「登録者」は、その登録情報を登録者した者を示す。「システム」は、サーバ１０又は情報表示システム１に含まれる図示しない他の装置が登録した情報であることを示す。「利用者」は、いずれかの利用者が登録した情報であることを示している。なお、「利用者」の後のＩＤは、登録情報を登録した利用者を示す利用者ＩＤである。
【００７６】
「順番」は、後ほど詳細に説明を行うように、利用者毎の登録情報の嗜好分析の結果に基づき設定される情報である。図５に示す本実施の形態に係る登録情報は、数値が小さい順番ほど嗜好性が高いことを示している。例えば、利用者ＩＤの00000001の利用者は、順番が１である３行目、順番が２である５行目、順番が３である４行目の順に嗜好分析に基づく順番が設定されている。なお、１行目及び２行目の登録情報は、順番が設定されていない登録情報となる。
【００７７】
図５に示す情報を参照して、登録情報について、さらに説明を行う。
【００７８】
例えば、４行目の情報は、利用者ＩＤが「00000001」の利用者のための登録情報であることを示している。対象物は、対象物ＩＤが「000100」であり、分類は「グループ」となっているため、他の利用者が共有として登録した情報である。さらに、登録者のＩＤ(00000003)が、情報を登録した利用者のＩＤを示している。また、この情報の順番は、「３」となっているため、利用者ＩＤが「00000001」の利用者の３番目に嗜好に合致する情報であることを示している。
【００７９】
なお、図５に示す登録情報は、利用者と周辺情報との関係を示す情報を保持しているが、本実施の形態に係る登録情報は、これに限られるわけではない。登録情報は、関連する周辺情報を全て含んでいても良い。
【００８０】
図２の戻り、サーバ１０の説明を続ける。
【００８１】
なお、図２において認証情報保持部１２０と周辺情報保持部１２１と登録情報保持部１２２とは、別構成として示しているが、これは説明の便宜のためであり、必ずしも別の構成とする必要はない。各情報保持部は、必要に応じてサーバ１０の各部と情報のやり取りを行うことができればよく、例えば、サーバ１０に設けられたディスク装置上に別ファイルとして保持してもよい。また、各情報保持部は、サーバ１０とは別の装置、例えば図示しない外部記憶装置に設けられたデータベースに保持されてもよく、ディスクアレイ装置のように物理的に複数の記憶装置にまたがって保持されてもよい。
【００８２】
端末接続部１３０は、所定のプロトコル(protocol：通信手続)に従って端末装置２０との接続処理及び情報のやり取りを行う。なお、端末接続部１３０の処理は、例えば、一般的なバス又はネットワークのプロトコル処理を行えばよく、接続確保及び情報のやり取りにおけるプロトコル処理の詳細な動作の説明は省略する。
【００８３】
外部接続部１３１は、所定のプロトコルに従って、図示しない他の装置又はネットワークと接続する。なお、外部接続部１３１の処理も、一般的なネットワークのプロトコル処理を行えばよく、詳細な動作の説明は省略する。
【００８４】
次に、端末装置２０の構成について図面を参照して説明を行う。
【００８５】
図６は、第１の実施の形態に係る端末装置２０の構成の一例を示すブロック図である。
【００８６】
端末装置２０は、制御部２０１と、位置情報取得部２０２と、方向情報取得部２０３と、サーバ接続部２０４と、撮影部２０５と、情報表示部２０６と、入力部２０７と、無線部２０８とを含む。
【００８７】
制御部２０１は、例えば、ＣＰＵ(Central Processing Unit)及びメモリを含んで構成され、端末装置２０の各部の制御を行う。また、制御部２０１は、ＷＥＢブラウザ(World Wide Web browser)２２０といった端末装置２０の各種のソフトウェア(software)も実行する。また、制御部２０１は、情報表示部２０６で表示する画像情報を合成する処理（合成処理）も行う。この制御部２０１が行う合成処理は、撮影部２０５が取り込んだ画像情報とサーバ１０から受け取った周辺情報とを重ねて（オーバーレイ：overlay）表示することを含む。制御部２０１での合成処理を行った画像は、例えばＡＲの実現に利用される。なお、画像の合成処理は、情報表示部２０６が行っても良い。
【００８８】
位置情報取得部２０２は、端末装置２０の位置情報を取得する。位置情報取得部２０２は、ＧＰＳ（Global Positioning System：全地球測位システム）のような一般的な位置情報の取得処理を行えばよく、位置情報の取得の詳細な動作の説明は省略する。
【００８９】
方向情報取得部２０３は、端末装置２０の方向情報を取得する。方向情報取得部２０３も、磁気センサで地磁気を検出する電子コンパス（compass）のような一般的な方向情報の取得手段を用いた処理を行えばよく、方向情報の取得の詳細な動作の説明は省略する。
【００９０】
サーバ接続部２０４は、所定のプロトコルに従ってサーバ１０と接続し、情報のやり取りを行う。サーバ接続部２０４は、端末接続部１３０と同様に、一般的なバス又はネットワークのプロトコルを処理すればよく、サーバ接続部２０４の詳細な動作の説明は省略する。
【００９１】
撮影部２０５は、画像を撮影する装置（例えばカメラ）を含み、端末装置２０の周辺の画像（例えば周囲の風景や建物）の画像情報を撮影し取り込む。
【００９２】
情報表示部２０６は、図示しない表示器を含み、撮影部２０５が取り込んだ画像情報を表示し、制御部２０１が合成処理した画像情報とサーバ１０から受け取った情報（例えば、地図情報）の表示も行う。また、情報表示部２０６は、端末装置２０の状態を表示してもよく、入力部２０７の入力結果を表示しても良い。
【００９３】
入力部２０７は、例えば、図示しないテンキー、方向キー、その他のキーを備え、利用者から指示である入力操作を受け付ける。なお、入力部２０７は、図示しないコネクタを介して、別の装置から入力指示を受け取るようにしてもよい。
【００９４】
無線部２０８は、基地局４０との無線接続を行い、サーバ接続部２０４とネットワーク３０を介したサーバ１０との接続の仲介を行う。無線部２０８の動作も、一般的な無線通信のプロトコル処理を行えばよく、詳細な動作の説明は省略する。なお、既に説明したとおり、第１の実施の形態に係る端末装置２０は、無線を使用してネットワーク３０と接続するために無線部２０８を備えているが、本実施の形態の端末装置２０は、無線接続に限られるわけではない。端末装置２０は、無線部２０８を使用しないで有線でネットワーク３０と接続してもよい。
【００９５】
次に、第１の実施の形態に係る情報表示システム１の動作について図面を参照して説明を行う。なお、サーバ１０の制御部１００は、サーバ１０の各部の動作を制御しているが、以下の動作の説明において、制御部１００の動作の説明を含めると、説明が煩雑となるため、制御部１００の動作は説明から省略する。それに合わせ各シーケンス図においても制御部１００の表示を、省略している。また、各動作において、端末装置２０が利用者からうける指示は、入力部２０７がキー操作を検出、又は、図示しないコネクタを介して他の装置から受けて制御部２０１に通知し、その通知を基に制御部２０１が動作を行うという、一連の動作となっている。そのため、以下の説明では入力部２０７動作の説明を省略し、制御部２０１の動作から説明を行う。それに合わせ、入力部２０７を含めた利用者の入力動作も、シーケンス図において省略している。また、無線部２０８、基地局４０、及び、ネットワーク３０も所定の通信のプロトコルを実施するため、シーケンス図において省略した。
【００９６】
まず、サーバ１０が行う端末装置２０の認証動作について説明を行う。ここにおける認証動作とは、サーバ１０が、接続を要求してきた端末装置２０が接続してよい端末装置２０であるかどうかを認証する動作であり、後ほど説明する各動作に先立って行われる動作である。なお、既に説明したとおり、本実施の形態に係るサーバ１０は、いろいろな認証を使用することができるが、ここでは、一例として、利用者ＩＤとパスワードとを使用した認証について説明を行う。
【００９７】
図７は、第１の実施の形態に係る情報表示システム１の認証動作の一例を示すシーケンス図である。なお、本実施の形態の説明では、説明の便宜のため、端末装置２０の制御部２０１が、予め認証情報を保持しているとするが、これはあくまで説明の便宜のためである。例えば、端末装置２０は、認証情報を他の構成、又は、図示しない記憶部に保持してもよい。また、端末装置２０は、入力部２０７から入力した認証情報を直接サーバ１０に送信するようにしてもよい。
【００９８】
まず、端末装置２０の制御部２０１は、サーバ接続部２０４を介して、認証のために必要な端末装置２０の認証情報、例えば、図３に示す、利用者ＩＤとパスワードとを、サーバ１０に送信する。
【００９９】
サーバ１０の端末接続部１３０は、端末装置２０からの受け取った認証情報(以下、受託認証情報と言う)を認証部１０１に渡す。
【０１００】
受託認証情報を受け取った認証部１０１は、認証情報保持部１２０に保持している認証情報（以下、照合認証情報と言う）と受託認証情報とを比較し、受託認証情報の認証を行う。ここで認証部１０１が行う比較動作は、受託認証情報の利用者ＩＤとパスワードとの組みが、照合認証情報に含まれているかどうかを確認する動作である。
【０１０１】
照合認証情報に受託認証情報と一致する認証情報が有った場合、認証部１０１は、端末接続部１３０に端末装置２０が認証できたことを通知する。この通知を受けた端末接続部１３０は、端末装置２０に認証ができたことを通知し、端末装置２０との接続を確立する。サーバ接続部２０４を介してサーバ１０から認証ができた通知を受け取った制御部２０１は、後ほど説明を行う各動作を行う。
【０１０２】
一方、照合認証情報に受託認証情報と一致する認証情報がなかった場合、認証部１０１は、端末接続部１３０に端末装置２０が認証できなかったことを通知する。この通知を受けた端末接続部１３０は、端末装置２０に認証ができなかったことを通知し、端末装置２０との接続を終了する。
【０１０３】
サーバ接続部２０４を介して認証ができなかった通知を受けた制御部２０１は、所定のエラー処理を行うこととなる。このエラー処理として、例えば、制御部２０１は、情報表示部２０６に認証できなかったこと及び利用者ＩＤ及びパスワードの再入力することを表示する。
【０１０４】
このような動作に基づき、情報表示システム１は、端末装置２０の認証動作を行う。
【０１０５】
なお、以下の説明を行う第１の実施の形態に係る情報表示システム１の各動作は、既に説明を行った認証動作を用いて認証を行うが、これらは全て同じ認証動作である。
【０１０６】
また、本実施の形態に係るサーバ１０における認証動作は、必ずしも動作毎に行う必要はない。サーバ１０は、例えば、一度認証を行った場合、所定の時間又は接続を停止するまで認証状態が継続し、複数の動作が行えるようにしてもよい。
【０１０７】
さらに、同じ説明を繰り返すことは、説明を煩雑することにもなる。
【０１０８】
そのため、以下で説明する各動作の詳細な説明において、認証動作の説明は、省略する。
【０１０９】
なお、各動作は、上記のとおり端末装置２０の認証済みのため、サーバ１０は、各動作において端末装置２０の利用者の情報（例えば利用者ＩＤ）も分かっているとして説明を行う。
【０１１０】
次に、本実施の形態に係る登録情報を登録する動作について図面を参照して説明を行う。登録情報の登録動作は、登録情報の分類に従い異なるため、分類にそって説明を行う。なお、分類が「レコメンド」の登録情報は、情報表示システム１が、システムの管理者の指示、又は、後ほど説明する嗜好情報を基に、登録情報に登録する情報である。システムの管理者の指示に基づき登録する「レコメンド」は、システム毎に適宜設定されるため、詳細な説明は省略する。また、嗜好情報を基に行われる「レコメンド」の登録の詳細な説明は、嗜好情報の説明のところで合わせて説明を行い、ここでの説明は省略する。
【０１１１】
まず、分類が「マーキング」の登録情報の登録動作について、図面を参照して説明を行う。なお、マーキングとは、既に説明しているとおり、利用者が、予め登録されている周辺情報から所定の動作に基づき選択した情報である。
【０１１２】
図８は、「マーキング」の登録動作の一例を示すシーケンス図である。
【０１１３】
利用者から入力部２０７を介して所定の位置の地図の閲覧指示を受けた端末装置２０の制御部２０１は、サーバ接続部２０４を介して、閲覧指示を受けた所定の位置の表示に必要となる地図の情報であるアドレス情報（例えば、対象位置のＵＲＬ又は区市町村名）を、サーバ１０に送信する。なお、端末装置２０がアドレス情報を受け取る方法は、いろいろな方法を採用してよい。例えば、端末装置２０は、閲覧指示と合わせてアドレス情報の入力を受け取ってもよい。また、端末装置２０は、閲覧指示とは別に、利用者に入力要求を出し、それに対する応答として入力部２０７を介してアドレス情報を受け取ってもよい。なお、本実施の形態の説明では、情報表示システム１が扱う情報の一例として地図情報を使用して説明を行うが、本実施の形態に係る情報表示システム１が取り扱う情報は、地図情報に限られるわけではない。例えば、取り扱う情報は、航空写真でもよく、建物の構造図でも良い。
【０１１４】
端末装置２０からアドレス情報を受け取ったサーバ１０の端末接続部１３０は、アドレス情報を表示処理部１０３に渡す。アドレス情報を受け取った表示処理部１０３は、外部接続部１３１を介して、図示しない外部の地図用のサーバにアドレス情報を送信し、端末装置２０で表示するための情報、例えば、地図のＨＴＭＬ(Hyper Text Markup Language)の情報（以下、ＨＴＭＬ情報と言う）を受け取る。その後、表示処理部１０３は、端末接続部１３０を介して、受け取ったＨＴＭＬ情報を端末装置２０に返す。
【０１１５】
サーバ１０からＨＴＭＬ情報を受け取ったサーバ接続部２０４は、ＨＴＭＬ情報を制御部２０１に渡す。ＨＴＭＬ情報を受け取った制御部２０１は、ＨＴＭＬ情報を情報表示部２０６に渡してＨＴＭＬ情報、つまり、地図情報の表示を行う。
【０１１６】
なお、制御部２０１は、ここでの表示及びこれ以降で説明する情報表示部２０６における情報を表示において、ＷＥＢブラウザ２２０のソフトウェアを使用してもよい。また、制御部２０１は、図示しない他の表示用のソフトウェア又はソフトウェアの一部のサブルーチンを使用して表示しても良い。さらに、制御部２０１は、１つではなく、複数のソフトウェアを用いて表示を行っても良い。
【０１１７】
このような動作に基づき、端末装置２０は、利用者から閲覧指示されたアドレス情報に関する地図情報を表示する。
【０１１８】
地図を表示後、入力部２０７を介して表示している地図上の所定の位置又は範囲（エリア：area）の指示を受けた制御部２０１は、サーバ接続部２０４を介して、所定の位置又はエリアを示す情報（以下、エリア情報と言う）をサーバ１０に送信する。
【０１１９】
エリア情報を受け取ったサーバ１０の端末接続部１３０は、エリア情報を表示処理部１０３に渡す。エリア情報を受け取った表示処理部１０３は、受け取ったエリア情報に関連する周辺情報を検索する。そのため、表示処理部１０３は、エリア情報を検索部１０２に渡す。エリア情報を受け取った検索部１０２は、周辺情報保持部１２１に保持されている周辺情報を検索し、エリア情報に関連する周辺情報、例えば、エリア情報で示される位置又は範囲から所定の距離の範囲に含まれる周辺情報を抽出し、表示処理部１０３に返す。周辺情報を受け取った表示処理部１０３は、必要に応じて端末装置２０に表示するための処理、例えば表示のための情報の整形を行い、端末接続部１３０を介して、周辺情報を端末装置２０に返却する。
【０１２０】
サーバ接続部２０４を介してサーバ１０から周辺情報を受け取った制御部２０１は、周辺情報を情報表示部２０６に渡し、周辺情報の表示の依頼を行う。情報表示部２０６は、この周辺情報の表示を、先のＨＴＭＬ情報と重ねて又は合成して表示してもよく、画面を区切って別欄として表示してもよい。また、情報表示部２０６は、複数の画面に用意し、表示画面を切り替えて表示するようにしてもよい。
【０１２１】
端末装置２０は、このように動作に基づき、指定されたエリアに関連する周辺情報を表示する。
【０１２２】
エリア情報に関連する周辺情報を表示後、入力部２０７を介して利用者から表示している周辺情報のいずれかをマーキングとして登録する指示を受けた制御部２０１は、サーバ接続部２０４を介して、マーキングとしての登録の指示と登録する周辺情報の対象物の情報（例えば対象物ＩＤ）とをサーバ１０に送信する。端末装置２０から登録の指示と登録する周辺情報の対象物の情報とを受けた端末接続部１３０は、登録する周辺情報の対象物の情報を情報登録部１０４に渡す。登録する周辺情報の対象物の情報を受けた情報登録部１０４は、マーキングとして登録する周辺情報の対象物の情報を登録情報保持部１２２に登録する。本実施の形態に係る登録するマーキングは、例えば、図５の３行目に示す情報であり、登録を依頼した利用者ＩＤと対象物ＩＤとを含んだ情報である。登録後、情報登録部１０４は、端末接続部１３０を介して、登録が完了したことを、端末装置２０に返却する。サーバ接続部２０４を介してサーバ１０から登録の完了を受けた制御部２０１は、登録の完了を情報表示部２０６に指示して、登録完了の表示を行う。
【０１２３】
なお、既に登録済みの登録情報を指定された場合、本実施の形態に係るサーバ１０は、登録情報を更新する必要はない。サーバ１０は、登録完了を返却すれば良い。ただし、登録情報として、本実施の形態の説明には含まれていない情報、例えば登録日を含む場合、サーバ１０は、登録情報を変更又は更新しても良い。
【０１２４】
このような動作に基づき、端末装置２０は、分類がマーキングの登録情報の登録動作を行う。
【０１２５】
続いて、分類が「レジスト」の登録情報の登録動作について図面を参照して説明を行う。なお、「レジスト」とは、既に説明を行っているとおり、利用者からの指示に従って情報表示システム１に登録する情報である。「レジスト」は、例えば、インターネットの電子掲示板（Bulletin Board System）のように情報を追加する情報である。
【０１２６】
図９は、「レジスト」の登録動作の一例を示すシーケンス図である。
【０１２７】
なお、図９において、指定のエリアに関連する情報の表示までの動作は、図８に示すマーキングと同じため、そこまでの動作の詳細な説明は省略し、「レジスト」における書き込み動作から詳細に説明を行う。
【０１２８】
周辺情報を表示した後、利用者から入力部２０７を介して情報の書き込みの指示を受け取った制御部２０１は、サーバ接続部２０４を介して、指示された書き込みの情報をサーバ１０に送信し、書き込みの依頼を行う。
【０１２９】
なお、本実施の形態に係る「レジスト」は、次に示すような情報である。
【０１３０】
（１）既に登録済み周辺情報に追加する情報。例えば、登録済みのレストランの新メニューのような情報である。なお、本実施の形態では、周辺情報の「概要」に追加となる。
【０１３１】
（２）新たに登録する周辺情報。例えば、新たに開店したレストランの情報である。
【０１３２】
端末装置２０は、これらの情報を、一般的なネットワークで使用されるデータ形式に従ってサーバ１０に送信すればよく、データの構造の詳細な説明は省略する。
【０１３３】
なお、本実施の形態に係る書き込みを行う情報は、上記に限られるわけでは無い。「レジスト」は、利用者が登録を希望する他の情報でも良い。
【０１３４】
端末装置２０から書き込み情報を受け取った端末接続部１３０は、書き込み情報を書き込み処理部１０６に渡す。
【０１３５】
本実施の形態に係る書き込み処理部１０６は、受け取った書き込み情報を周辺情報として登録するために必要な形式、例えば図４に示す情報に変更し、情報登録部１０４に渡す。例えば、周辺情報の一部を更新する場合、書き込み処理部１０６は、更新の指示と更新場所と更新情報を情報登録部１０４に渡す。周辺情報への追加の場合、書き込み処理部１０６は、追加場所と追加する情報とを情報登録部１０４に渡す。
【０１３６】
書き込み情報を受け取った情報登録部１０４は、受け取った書き込み情報を周辺情報保持部１２１に登録又は更新を行う。
【０１３７】
なお、本実施の形態に係るサーバ１０の書き込み処理はこれに限られるわけではない。例えば、サーバ１０は、書き込み情報を周辺情報として登録は行わず、別の情報として保存しても良い。この場合は、サーバ１０は、別情報として保存した書き込み情報と登録情報との関係を示すリンク情報を備えておく。そして、検索部１０２が、リンク情報を使用して周辺情報と書込み情報の両方を検索するように動作すれば良い。
【０１３８】
書き込みを行った利用者は、自分の書き込みを利用すると想定できる。そのため、本実施の形態に係る情報登録部１０４は、書き込みを行った利用者の登録情報保持部１２２に受け取った書き込み情報の登録を行う。この登録情報は、登録情報の「レジスト」となり、例えば、図５の５行目に示す情報である。
【０１３９】
ただし、本実施の形態に係るサーバ１０は、このような動作に限られるわけではない。情報登録部１０４は、書き込み情報と登録要求に対して周辺情報を登録するようにしてもよい。そして、登録情報への登録は、既に説明を行った「マーキング」を利用して登録するようにしてもよい。ただし、この場合、登録情報は、「レジスト」を含まないこととなる。
【０１４０】
情報登録部１０４が行う登録が終了すると、書き込み処理部１０６は、端末接続部１３０を介して端末装置２０に書き込みの登録完了を通知する。
【０１４１】
サーバ接続部２０４を介して、サーバ１０から書き込みの登録完了を受け取った制御部２０１は、情報表示部２０６に指示して、書き込み完了の処理、例えば書き込みの完了の表示を行う。
【０１４２】
このような動作に基づき、端末装置２０は、分類が「レジスト」の登録情報の登録動作を行う。
【０１４３】
続いて、分類が「グループ」の登録情報の登録動作について図面を参照して説明を行う。
【０１４４】
図１０は、「グループ」の登録動作の一例を示すシーケンス図である。
【０１４５】
なお、図１０において、指定したエリアに関連する情報の表示までの動作は、図８に示すマーキングと同じため、そこまでの動作の詳細な説明は省略し、「グループ」の登録動作について詳細に説明を行う。
【０１４６】
入力部２０７を介して登録する情報（例えば書き込みの対象物ＩＤ）と登録するグループの参加者の情報（例えば利用者ＩＤ）との指示を受け付けた制御部２０１は、サーバ接続部２０４を介して、サーバ１０に登録する情報とグループの参加者の情報とを送付し、「グループ」の登録の依頼を送信する。
【０１４７】
端末装置２０からグループの登録に関係する情報（登録する情報とグループの参加者の情報）を受け取った端末接続部１３０は、受け取った登録に関係する情報を情報登録部１０４に渡す。
【０１４８】
登録に関係する情報を受け取った情報登録部１０４は、グループの参加者の情報（例えば、利用者ＩＤ）を認証部１０１に渡してグループ参加者の認証を行う。
【０１４９】
グループの参加者の情報を受け取った認証部１０１は、認証情報保持部１２０に保持されている照合のための認証情報を参照して参加者の認証を行い、結果を情報登録部１０４に戻す。
【０１５０】
全ての参加者が認証できた場合、情報登録部１０４は、分類をグループとして、登録依頼された情報（例えば周辺情報）を登録依頼された利用者の登録情報に登録する。ここで登録する情報は、例えば図５の４行目に示すような情報である。情報登録部１０４は、このような情報の登録を、指定されたグループの参加者全員に対して行う。登録が終了すると情報登録部１０４は、端末接続部１３０を介して、登録が完了した通知を端末装置２０に返す。サーバ接続部２０４を介して登録完了を受け取った制御部２０１は、情報表示部２０６に指示して登録の完了の表示を行う。
【０１５１】
一方、認証部１０１において一部又は全ての参加者が認証できなかった場合、情報登録部１０４は、端末接続部１３０を介して登録できなかったことを端末装置２０に通知する。サーバ接続部２０４を介して登録できなかった通知を受けた制御部２０１は、情報表示部２０６に指示して登録できなかったことの表示を行う。
【０１５２】
なお、グループの参加者の一部だけ認証ができた場合、情報登録部１０４は、認証できた参加者の登録情報に登録を行い、認証できなかった参加者について端末装置２０に通知を返すようにしてもよい。
【０１５３】
このような動作に基づき、端末装置２０は、分類が「グループ」の登録情報の登録動作を行う。
【０１５４】
このグループの登録情報の登録動作に基づき、情報表示システム１は、利用者が指定した他の利用者に指定された周辺情報を登録情報として登録することが出来る。
【０１５５】
なお、ここまでの説明では、グループに登録する参加者を端末装置２０からサーバ１０に送信しているが、本実施の形態に係る情報表示システム１は、これに限られるわけではない。例えば、予めグループの参加者をサーバ１０にグループ名と共に保存しておき、端末装置２０は、保存されているグループ名を指定し、サーバ１０は、指定されたグループ名に登録されている利用者の登録情報に情報を追加するようにしてもよい。
【０１５６】
このような登録情報を備えた情報表示システム１が、所定の情報を共有する動作に関して、さらに詳細に説明を行う。
【０１５７】
図１１は、「グループ」の情報を共有する動作の一例を示すフローチャート図である。
【０１５８】
ここでの説明として、次の示す状況を前提とする。
【０１５９】
状況：ある利用者（以下、利用者Ａと言う）が、レストランで食事をしたところ、とても美味しかったため、友人（以下、利用者Ｂと言う）の登録情報に追加する。
【０１６０】
まず、レストランを出たところで利用者Ａの指示を受け端末装置２０は、地図情報を表示する（ステップ１０００）。さらに、利用者Ａの指示を受けた端末装置２０は、レストランが含まれるエリアを指定して周辺情報を表示する（ステップ１００１）。
【０１６１】
周辺情報にレストランが登録されていた場合（ステップ１００２でyes）、端末装置２０は、入力部２０７から追加する情報（例えば、味の感想）を受け取る（ステップ１００３）。周辺情報にレストランが登録されていない場合（ステップ１００２でno）、端末装置２０は、入力部２０７から新たに周辺情報として登録するレストランの情報（位置、レストラン名、味の感想）を受け取る（ステップ１００４）。
【０１６２】
端末装置２０は、受け取った情報をレジストとしてサーバ１０に送信して登録する（ステップ１００５）。サーバ１０は、この送信を受け、周辺情報に、受け取った情報の追加又は登録済みの情報の更新を行い、さらに利用者Ａの登録情報に登録を行う。
【０１６３】
端末装置２０は、さらに、「グループ」として登録する利用者（ここでは利用者Ｂ）の情報を受け取る（ステップ１００６）。
【０１６４】
端末装置２０は、先ほどの情報と利用者の情報（ここでは利用者Ｂ）とをサーバ１０にグループとしての登録を依頼する（ステップ１００７）。サーバ１０は、グループとして利用者Ｂの登録情報に追加を行う。
【０１６５】
このように動作し、本実施の形態に係る情報表示システム１は、指定した他の利用者に情報を登録することが出来る。
【０１６６】
本実施の形態に係る情報表示システム１は、登録情報の嗜好に沿って、端末装置２０に表示する情報を選択することができる。以下、登録情報の嗜好に沿って、表示する周辺情報を選択するための情報を、「選択情報」と称す。
【０１６７】
例えば、サーバ１０の嗜好分析部１０５が、カテゴリ毎の登録情報の数を求め、最も登録情報の数が多いカテゴリが最も嗜好に合致している判断する。そして、情報表示システム１は、最も嗜好に合致したカテゴリを、周辺情報を選択する条件として使用する。この場合、最も嗜好に合致したカテゴリが、上で記載した選択情報となる。例えば、情報表示システム１は、その条件に基づき表示する周辺情報を選択してしても良い。この場合、嗜好分析部１０５は、カテゴリに基づき周辺情報を整列し、整列順の上位の周辺情報を選択したこととなる。
【０１６８】
しかし、必要としている情報が、必ずしも最も登録情報の多いカテゴリに入らない場合もある。
【０１６９】
そこで、本実施の形態に係る情報表示システム１は、登録情報に嗜好に沿った順番を設定し、表示する情報の選択を行っている。なお、この場合、登録情報に嗜好に沿った順番が、上で記載した選択情報となる。そして、この場合、嗜好分析部１０５は、登録情報に基づき周辺情報を整列し、整列順の上位の周辺情報を選択したこととなる。
【０１７０】
次に、登録情報の順番の設定動作について説明を行う。本実施の形態に係るサーバ１０は、この順番を、利用者が登録した登録情報と関連する周辺情報を基にした嗜好分析を用いて設定する。
【０１７１】
図１２は、利用者の登録情報の順番を設定する動作の一例を示すシーケンス図である。なお、本実施の形態に係るサーバ１０における順番の設定動作の起動は、所定の時間間隔で、利用者を順次選択して行うため、起動の詳細な説明は省略する。なお、本実施の形態に係る順番の設定動作の起動は、これに限られるわけではない。例えば、図示しない外部の管理装置が、所定の手順に従って利用者を選択して、順番の設定動作の起動の指示を出しても良い。
【０１７２】
順番の設定の指示を受けた嗜好分析部１０５は、嗜好分析の対象となる利用者（以下、対象利用者と言う）の登録情報保持部１２２に保持されている登録情報の検索を検索部１０２に指示する。
【０１７３】
指示を受けた検索部１０２は、対象利用者の登録情報を検索して、嗜好分析部１０５に返す。例えば、図５の登録情報において対象利用者の利用者ＩＤとして「00000001」が指定された場合、検索部１０２は、検索結果として図５に示す１行目から５行目までの情報を嗜好分析部１０５に返す。
【０１７４】
検索結果を受け取った嗜好分析部１０５は、検索結果を基に対象利用者の嗜好を分析する。この分析の対象となる情報は、対象利用者が選択、書き込み、又は、対象利用者と関係のある者が登録した、つまり、対象利用者の嗜好が反映された情報である。そのため、嗜好分析部１０５は、対象利用者の嗜好を正確に分析することができる。なお、本実施の形態に係る嗜好分析部１０５の分析処理は、いろいろな嗜好分析処理を使用することが出来る。
【０１７５】
例えば、本実施の形態に係る嗜好分析部１０５は、次のように嗜好分析を行う。
【０１７６】
嗜好分析部１０５は、残った登録情報に対応する対象物の情報、つまり対象物ＩＤに対応する周辺情報を検索部１０２に依頼して周辺情報保持部１２１から取り出す。（レジストを周辺情報と別に保存している場合、嗜好分析部１０５は、検索部１０２にレジストとして登録した情報も取り出しも依頼する。）嗜好分析部１０５は、取り出した登録情報に関連する周辺情報（以下、評価周辺情報と言う）の嗜好に関連する情報、例えば、カテゴリ、概要、関連キーワードに対して統計的処理を施し、嗜好分析を行う。
【０１７７】
嗜好分析部１０５が使用する統計的処理も、各種の処理が使用できる。
【０１７８】
嗜好分析部１０５は、クラスター分析（クラスタリング：clustering）、共分散構造分析、多次元尺度構成法、数量化理論、階層化意思決定法のいずれか又は複数の統計手法を用いて、評価周辺情報に関連する嗜好を分析してもよい。
【０１７９】
そして、嗜好分析部１０５は、嗜好分析の結果、評価周辺情報から嗜好を示す嗜好情報を抽出し、抽出した嗜好情報に重み又は順位を設定する。
【０１８０】
例えば、フランス料理のレストランが登録情報として登録された場合について説明すると次のようになる。
【０１８１】
まず、嗜好分析部１０５は、嗜好情報として、「フレンチ」、「レストラン」、及び、「料理」を抽出する。そして、嗜好分析部１０５は、例えば、「フレンチ」に重みが５、「レストラン」に重みが３、「料理」に重みが１と設定する。
【０１８２】
さらに、嗜好分析部１０５は、求めた情報の重み又は順位を基に、評価周辺情報の順番を設定する。この順番の設定として本実施の形態に係る嗜好分析部１０５は、次のような動作を行う。
【０１８３】
嗜好分析部１０５は、評価周辺情報に含まれる統計定手法で求めた嗜好情報を抽出し、対応する重みの合計を求め、評価周辺情報を合計の重さを求める。続いて、嗜好分析部１０５は、合計の重みが最も重い評価周辺情報から対応する登録情報に、嗜好に基づく順番を設定する。つまり、嗜好分析部１０５は、嗜好分析の結果で求めた評価周辺情報の重みに従って、対応する登録情報に順番を設定する。
【０１８４】
ただし、本実施の形態に係る嗜好分析部１０５の動作はこれに限られず、統計的手法の求めた情報の順位を基に登録情報の順番を設定してもよく、順番と重みを併用して設定してもよい。
【０１８５】
なお、嗜好分析部１０５は、嗜好分析において、マーキング、レジスト、グループについても重み付けを行っても良い。例えば、自身で書き込んだ情報であるレジストの重みを最も重くし、他の者から登録されたグループの情報の重みを軽くしても良い。
【０１８６】
このように、嗜好分析部１０５は、嗜好分析の処理を行えばよく、嗜好分析のその他の詳細な動作の説明は省略する。（なお、以下、嗜好分析部１０５の嗜好分析の結果の情報を、嗜好分析情報と言う。）
このように、嗜好分析後、嗜好分析部１０５は、分析結果の嗜好（嗜好分析情報）を基に登録情報の順番を設定する。
【０１８７】
順番が求まると、嗜好分析部１０５は、登録情報の順番を情報登録部１０４に渡し、登録情報保持部１２２が保持している登録情報に順番の登録を行う。
【０１８８】
なお、登録情報への順番の設定は、嗜好分析部１０５に限られるわけではない。例えば、嗜好分析部１０５は、嗜好分析の結果を求め、その結果を情報登録部１０４に渡し、情報登録部１０４が登録情報に順番を求めて設定するようにしてもよい。
【０１８９】
嗜好に基づいて登録情報の順番を設定後、対象利用者の使用している端末装置２０の位置情報が分かっている場合、嗜好分析部１０５は、さらに次のように、位置情報を使用して「レコメンド」の登録動作を行っても良い。
【０１９０】
嗜好分析部１０５は、端末装置２０の位置情報に対して所定の範囲（例えば半径５００ｍ以内）に入っている周辺情報の検索を行う。この動作をさらに具体的に説明すると次のようになる。嗜好分析部１０５は、端末装置２０の位置情報を基に所定の範囲に入っている周辺情報の検索を検索部１０２に依頼する。周辺情報の検索の依頼を受けた検索部１０２は、周辺情報保持部１２１が保持している周辺情報を検索し、所定に範囲内の周辺情報を抽出して、嗜好分析部１０５に返却する。
【０１９１】
周辺情報を受け取った嗜好分析部１０５は、嗜好分析の結果の上位（例えば、上位１０位まで）の評価周辺情報に対応する周辺情報が含まれているかどうかを確認する。もし上位の評価周辺情報に対応する周辺情報が有った場合、嗜好分析部１０５は、対応した周辺情報を「レコメンド」として、情報登録部１０４に依頼し、登録情報に追加を依頼する。
【０１９２】
このように動作に基づき、嗜好分析部１０５は、対象利用者（嗜好分析の対象となる利用者）の嗜好分析を行い、さらに端末装置２０の周辺にある周辺情報で嗜好分析の結果上位となった周辺情報を「レコメンド」として登録する。なお、上位の評価周辺情報に対応する周辺情報が無い場合、嗜好分析部１０５は、特に動作を行わない。
【０１９３】
このような動作に基づき、サーバ１０は、利用者の嗜好が反映されている登録情報に順番の設定を行うこと、及び、嗜好に基づいた周辺情報のレコメンド登録を行うことが出来る。
【０１９４】
次に、周辺情報を画像情報に付加して表示する動作について図面を参照して説明を行う。
【０１９５】
図１３は、第１の実施の形態に係る情報表示システム１の情報の表示動作の一例を示すシーケンス図である。なお、この表示動作の説明において端末装置２０の撮影部２０５が撮影した画像は、既に情報表示部２０６に表示され、その表示に情報を付加する動作について説明を行う。そのため、画像情報を情報表示部２０６に表示する動作の詳細な説明は省略する。また、情報の表示の指示は、入力部２０７から指示を受けて開始してもよいが、本実施の形態の説明では、既に説明したとおり入力部２０７の動作の説明は省略し、制御部２０１が起動するとして説明を行う。
【０１９６】
情報を表示するため制御部２０１は、位置情報取得部２０２に位置情報の取得を指示する。位置情報取得部２０２から位置情報を取得した制御部２０１は、サーバ接続部２０４を介して、端末装置２０の位置情報をサーバ１０に送付し、情報として表示する周辺情報の送信を依頼する。
【０１９７】
端末装置２０から位置情報を受け取った端末接続部１３０は、位置情報を表示処理部１０３に渡す。
【０１９８】
位置情報を受け取った表示処理部１０３は、位置情報を検索部１０２に渡し、位置情報で示される位置、つまり、端末装置２０の位置と所定に関係にある（例えば半径１００ｍの範囲に入る）周辺情報の検索を依頼する。情報を検索された検索部１０２は、周辺情報保持部１２１から周辺情報を検索し、表示処理部１０３に戻す。
【０１９９】
周辺情報を受け取った表示処理部１０３は、さらに周辺情報のうち登録情報となっている情報の検索を検索部１０２に依頼する。
【０２００】
登録情報に登録されている周辺情報の検索を依頼された検索部１０２は、周辺情報の中から、登録情報保持部１２２に登録情報として登録されている周辺情報を選択する。さらに検索部１０２は、順番が登録されている登録情報を検索し、登録情報の順番に沿って周辺情報を整列し、表示処理部１０３に返す。
【０２０１】
登録情報を基に整列された周辺情報を受け取った表示処理部１０３は、必要に応じ受け取った登録情報を表示のための所定の変換を行い、端末接続部１３０を介して端末装置２０に戻す。
【０２０２】
なお、検索部１０２が登録情報の整列を行わず、表示処理部１０３が、登録情報の順番に沿って周辺情報の整列又は選択を行ってもよい。また、表示処理部１０３又は検索部１０２は、登録情報の順番の所定の上位の件数（例えば、上位２０件）の周辺情報を選択して端末装置２０に戻すようにしても良い。
【０２０３】
サーバ接続部２０４を介して整列された周辺情報を受け取った制御部２０１は、受け取った整列後の周辺情報の所定の範囲（例えば、先頭の５件）を情報表示部２０６の適切な位置に付加して表示するように、撮影部２０５が撮影した画像情報と合成処理し、情報表示部２０６に渡して、表示の指示を行う。ここで画像情報と合成処理した、画像情報に付加された整列後の周辺情報が、付加情報となる。
【０２０４】
なお、本実施の形態に係る端末装置２０は、周辺情報を付加して表示する位置の決定を制御部２０１が行うとして説明を行うが、情報表示部２０６が行っても良い。
【０２０５】
また、制御部２０１は、周辺情報を付加して表示する位置を決定するために、既に取得している位置情報、及び、方向情報取得部２０３からの方向情報のいずれか又は両方を参照してもよい。例えば、制御部２０１は、方向情報を基に、自装置の方向に応じた付加する周辺情報を選択し、表示しても良い。
【０２０６】
さらに、制御部２０１は、表示位置の決定のために撮影部２０５の撮影状態（例えば、画面の大きさ及び焦点距離）の情報を参照しても良い。例えば、制御部２０１は、撮影状態を基に、情報表示部２０６に表示できる付加情報を選択して、表示してもよい。
【０２０７】
なお、サーバ１０は、端末装置２０に戻す整列後の周辺情報に、登録情報の順番を付加しても良い。このような順番を付加した整列後の周辺情報を受け取った制御部２０１は、受け取った順番を基に、情報表示部２０６での表示する画像情報に順番も追加してもよく、周辺情報の表示の仕方を切り替えてもよい。例えば、制御部２０１は、順番に基づき情報表示部２０６で表示する周辺情報の表示文字又は記号の大きさを変える、又は、文字表示又は記号の色を変えてもよい。
【０２０８】
さらに、サーバ１０では、周辺情報の整列を行わず、端末装置２０が、受け取った周辺情報に付属している登録情報の順番を基に、受け取った周辺情報を整列しても良い。
【０２０９】
このような動作に基づき、端末装置２０は、情報表示部２０６に表示している撮影部２０５で撮影した画像に登録情報を基に設定した嗜好分析の順番が上位となった周辺情報（付加情報）を付加して表示を行うことができる。
【０２１０】
なお、ここまでの説明では、方向情報を端末装置２０が利用しているが、本実施の形態に係る情報表示システム１は、これに限られるわけではない。
【０２１１】
図１４は、第１の実施の形態に係る情報表示システム１の情報の表示動作の別の一例を示すシーケンス図である。
【０２１２】
情報を付加して表示するため制御部２０１は、位置情報取得部２０２に位置情報の取得を指示する。位置情報取得部２０２から位置情報を取得した制御部２０１は、方向情報取得部２０３に方向情報の取得を依頼する。位置情報と方向情報とを取得した制御部２０１は、予め保持している方向情報取得部２０３が取得する方向情報と撮影部２０５の撮影方向との差の情報を基に撮影部２０５の方向情報を算出する。その後、制御部２０１は、サーバ接続部２０４を介して、端末装置２０の位置情報と撮影部２０５の方向情報とをサーバ１０に送付する。
【０２１３】
なお、端末装置２０の撮影部２０５の位置と位置情報取得部２０２の位置とは、厳密には異なる場合もある。しかし、端末装置２０内での構成の位置の差は、一般的なＧＰＳで取得できる位置情報において誤差範囲である。そのため、本実施の形態に係る端末装置２０は、撮影部２０５の位置として位置情報取得部２０２の位置情報をそのまま使用している。なお、本実施の形態に係る情報表示システム１は、位置の誤差を補正した位置情報を使用しても良い。
【０２１４】
端末装置２０から位置情報と方向情報とを受け取った端末接続部１３０は、位置情報と方向情報とを表示処理部１０３に渡す。
【０２１５】
位置情報と方向情報とを受け取った表示処理部１０３は、位置情報と方向情報とを検索部１０２に渡す。位置情報と方向情報とを受けた検索部１０２は、位置情報で示される位置、つまり、端末装置２０の位置の周辺情報のうち、方向情報つまり撮影部２０５が向いている方向の所定の範囲（例えば、方向情報に対して左右３０度の範囲に含まれ、距離が５０ｍ以内）の周辺情報を周辺情報保持部１２１から検索し、表示処理部１０３に戻す。
【０２１６】
周辺情報を受け取った表示処理部１０３は、さらに周辺情報のうち登録情報となっている情報の検索を検索部１０２に依頼する。
【０２１７】
登録情報での検索を依頼された検索部１０２は、受け取った周辺情報の中から、登録情報保持部１２２に登録されている登録情報、特に順番が登録されている情報を選択し、順番に沿って周辺情報を整列して表示処理部１０３に返す。
【０２１８】
登録情報を基に整列された周辺情報を受け取った表示処理部１０３は、所定の範囲の周辺情報、例えば順番が上位１０個の周辺情報を選択し、端末接続部１３０を介して端末装置２０に戻す。
【０２１９】
なお、撮影部２０５の方向情報も使用して周辺情報を選択した場合、方向情報を参照しない場合に比べ、撮影部２０５で表示できない周辺情報の比率が低いと想定することができる。そのため、表示処理部１０３は、方向情報を使用して選択する場合の周辺情報の選択数を、方向情報を使用しない場合と比べ、少なくしてもよい。
【０２２０】
サーバ接続部２０４を介して選択された周辺情報を受け取った制御部２０１は、受け取った周辺情報を情報表示部２０６の適切な位置に付加して表示するように、画像情報の合成処理を行い、合成処理した画像情報を情報表示部２０６に渡し、表示の指示を行う。なお、制御部２０１は、表示位置を決定するために、必要に応じて、位置情報取得部２０２からの位置情報、撮影部２０５の方向情報、及び、撮影部２０５の撮影状態（例えば、画面の大きさ及び焦点距離）の情報を参照してもよい。そして、情報表示部２０６は、合成処理後の画像情報を表示する。
【０２２１】
なお、繰り返しとなるが、本実施の形態の端末装置２０では、制御部２０１が情報表示部２０６の表示まで制御を行ったが、これはあくまで説明の便宜のためであり、これに限られるわけではない。情報表示部２０６が、表示する周辺情報の表示するようにしてもよい。
【０２２２】
この場合、制御部２０１は、周辺情報を情報表示部２０６に渡す処理までを行うこととなる。その後、情報表示部２０６は、撮影部２０５の撮影状態、例えば画面の大きさや焦点距離を基に撮影部２０５で取り込んだ画像の範囲を求める。さらに、情報表示部２０６は、位置情報取得部２０２から位置情報を受け取り、方向情報取得部２０３から方向情報を受け取り、位置情報及び方向情報と、画像の範囲とに基づき、撮影部２０５が撮影した画像に含まれる範囲を求める。この結果を基に、情報表示部２０６は、受け取った周辺情報から撮影部２０５が撮影した画像に含まれる周辺情報を選択し、撮影した画像に付加し表示を行う。
【０２２３】
このような動作に基づき、端末装置２０は、撮影部２０５で撮影した画像に、嗜好分析の順番が上位となった周辺情報（付加情報）を付加した表示を行うことができる。
【０２２４】
なお、本実施の形態に係るサーバ１０は、地図情報を外部の装置にアクセスする構成に限られるわけではない。例えば、自動車に使用されるカーナビゲーション装置のように、サーバ１０は、地図情報を内蔵してもよい。
【０２２５】
また、本実施の形態に係るサーバ１０は、社内ネットワークに接続する端末のように認証済みの端末装置２０と接続する場合、接続要求を行った端末装置２０の認証を省略してもよい。
【０２２６】
図１５は、第１の実施の形態に係る別のサーバ１１の一例を示すブロック図である。サーバ１１は、サーバ１０から、外部接続部１３１と、認証に関連する認証部１０１と認証情報保持部１２０とを除いた構成となっている。このような構成のサーバ１１でも、例えば、制御部１００の内部に地図情報を保持しておけば、サーバ１０と同等の動作を行うことができる。
【０２２７】
また、端末装置２０は、既に説明したとおり、必ずしも無線通信を使用する必要は無い。また、図２においてＷＥＢブラウザ２２０を示しているが、本実施の形態に係る端末装置２０は、必ずしもＷＥＢブラウザ２２０を必要とするわけではない。
【０２２８】
図１６は、第１の実施の形態に係る別の端末装置２１の一例を示すブロック図である。
【０２２９】
端末装置２１は、端末装置２０から、無線部２０８とＷＥＢブラウザ２２０を除いた構成である。このような構成の端末装置２１でも、制御部２０１が、端末装置２０と同様に動作し、有線通信を使用してネットワーク３０を介してサーバ１０と接続し、端末装置２０と同等の動作を行うことができる。
【０２３０】
さらに、第１の実施の形態の説明において、サーバ１０及び端末装置２０を別装置として説明を行ったが、本実施の形態は、これに限られるわけではない。サーバ１０及び端末装置２０の全部又は一部の構成を１台の装置、又は、１台のコンピュータで動作するソフトウェアとして構成してもよい。
【０２３１】
図１７は、情報表示システム１を１台の装置で構成した情報表示装置２の一例を示すブロック図である。
【０２３２】
情報表示装置２は、サーバ１１と端末装置２１との構成から、装置の接続に関連する端末接続部１３０とサーバ接続部２０４と、認証に関連する認証部１０１と認証情報保持部１２０とを除き、さらに制御部２０１を制御部１００で兼用した構成となっている。
【０２３３】
このように構成された情報表示装置２も、情報表示システム１と同様の動作を行い、所定の周辺情報を付加した表示を行うことができる。
【０２３４】
また、本実施の形態に係る情報表示システム１は、各部をコンピュータ上に実行される１つ又は複数のソフトウェアとして実現してもよい。
【０２３５】
また、情報表示システム１の各装置は、コンピュータで実行するプログラムを記憶する記録媒体を含んでも良い。
【０２３６】
さらに、本実施の形態係る情報表示システム１は、各構成を別装置としてもよい。例えば、情報表示システム１は、各情報の保持部をバス又はネットワークを介して接続する外部記憶装置としてもよい。例えば、本実施の形態に係る情報表示システム１は、登録情報の登録を行う情報登録部１０４又は書き込み処理部１０６を、ネットワークを介して接続する別のサーバで動作する構成としても良い。
【０２３７】
図１８は、本実施の形態に係る情報表示装置の別の構成の一例を示すブロック図である。情報表示装置３は、検索部１０２と、嗜好分析部１０５と、周辺情報保持部１２１と、登録情報保持部１２２と、位置情報取得部２０２と、撮影部２０５と、情報表示部２０６を含んでいる。
【０２３８】
このように構成されている情報表示装置３は、次のように動作する。
【０２３９】
嗜好分析部１０５は、登録情報保持部１２２の登録情報を基に嗜好分析を行い、登録情報に順序を設定する。
【０２４０】
そして、位置情報取得部２０２は、位置情報を取得する。その位置情報を基に、検索部１０２が、周辺情報保持部１２１に保持されている周辺情報から位置情報の所定の範囲内に含まれる周辺情報を検索する。さらに、検索部１０２は、検索した周辺情報から、登録情報保持部１２２に保持されている登録情報に含まれる周辺情報を選択し、登録情報の順番に基づき選択した周辺情報を整列する。
【０２４１】
情報表示部２０６は、撮影部２０５が撮影した画像に、整列した周辺情報の順番が所定の範囲に入る周辺情報を画像情報と重ねて又は合成して表示する。
【０２４２】
このように情報表示装置３も、情報表示システム１と同様に、嗜好情報に沿った周辺情報を付加して表示することができる。なお、情報表示装置３は、本発明の最小構成である。
【０２４３】
このように、第１の実施の形態に係る情報表示システム１は、利用者に嗜好に沿った周辺情報を付加して表示する効果を得ることができる。
【０２４４】
その理由は、第１の実施の形態に係る情報表示システム１は、利用者の嗜好が反映している利用者が選択した登録情報を基に、利用者の嗜好を分析し、その嗜好分析の結果を基に、表示する周辺情報を選択しているからである。さらに、第１の実施の形態に係る情報表示システム１は、嗜好の順番を設定し、その順番に基づいた表示を行うことができるためである。
【０２４５】
さらに、第１の実施の形態に係る情報表示システム１は、所定の利用者の指示に基づき周辺情報を他の利用者の登録情報として設定する効果を得ることもできる。
【０２４６】
その理由は、第１の実施の形態に係る情報表示システム１は、グループとして、指定した利用者に対して登録情報を設定することができるようにしたためである。
（第２の実施の形態）
第１の実施の形態に係る情報表示システム１は、端末装置２０の撮影部２０５が撮影した画像に重ねて又は合成して、周辺情報を表示している。
【０２４７】
しかし、撮影部２０５が撮影している画像は、ある方向を撮影しているものである。そのため、撮影部２０５が撮影していない範囲に有効な周辺情報が有る場合も想定される。
【０２４８】
第２の実施の形態に係る情報表示システム１は、撮影部２０５が撮影していない範囲の周辺情報も端末装置２０に表示するようにしている。
【０２４９】
なお、第２の実施の形態に係る情報表示システム１の構成は、第１の実施の形態と同じため、構成の詳細な説明は省略する。
【０２５０】
また、第２の実施の形態に係る情報表示システム１の動作も、端末装置２０に周辺情報を表示する動作を除き、第１の実施の形態に係る情報表示システム１と同等である。そのため、表示動作以外の動作の詳細な説明は省略し、第２の実施の形態に特有の動作について詳細に説明を行う。さらに、第２の実施の形態に係る特有の表示動作は、図１３に示す表示動作の後に行われ、図１３に示す表示動作は、第１の実施の形態に係る表示動作と同じである。そのため、図１３を示す表示動作の詳細な説明は省略し、図１３に示す撮影した画像情報に周辺情報を重ねて又は合成して表示した後に行う表示動作について詳細に説明を行う。
【０２５１】
第１の実施の形態の同様に情報表示部２０６に周辺情報を付加して表示した第２の実施の形態に係る制御部２０１は、サーバ１０から受け取った整列後の周辺情報に、表示した周辺情報の順番と比較して、順番がさらに高い、つまり、さらに嗜好に合致した表示していない周辺情報が有るかどうかを確認する。制御部２０１は、この確認を整列後の周辺情報の整列の順番を基に行う。ただし、既に説明したように、嗜好分析を基にした順番の情報も合わせて受け取っている場合、制御部２０１は、受け取った順番を基に判断を行っても良い。
【０２５２】
表示している周辺情報の順番と比べ、順番が高いが表示していない周辺情報が有る場合、制御部２０１は、順番が高い周辺情報を情報表示部２０６に指示して追加の情報として表示を行う。ここで追加して表示する順番の高い周辺情報は、撮影部２０５で撮影した画像には含まれていないため、情報表示部２０６は、図示しない表示器の所定の位置、例えば、上部の固定位置に、順番が高い周辺情報を表示すればよい。このような動作に基づき、端末装置２０は、撮影部２０５が撮影している画像情報に含まれないが利用者に有効な情報の表示を行うことができる。
【０２５３】
第２の実施の形態に係る情報表示システム１は、第１の実施の形態に係る効果に加え、利用者にさらに有効な周辺情報を提供する効果を得ることができる。
【０２５４】
その理由は、第２の実施の形態に係る情報表示システム１は、撮影部２０５が撮影した画像情報と重ねて又は合成して表示されている周辺情報の順番と比べ、嗜好分析の順番が上位の周辺情報がある場合、その周辺情報も表示するようにしたためである。
（第３の実施の形態）
第１の実施の形態に係る情報表示システム１は、所定の周辺情報を画像として表示するものである。しかし、利用者は、常に端末装置２０の画像を見ているわけではない。例えば、情報表示システム１の利用者は、移動中は、端末装置２０を鞄に入れておき、目的地で鞄から取り出し表示を確認することも行う。そのため、情報表示システム１は、画像情報に付加して表示が行える周辺情報があることを、画面に表示することとは異なる手段で、利用者に通知できたほうが、利便性を向上することが出来る。
【０２５５】
第３の実施の形態に係る情報表示システム１は、画像の表示に加え、音又は鳴動を用いた通知を行えるようになっている。
【０２５６】
なお、第３の実施の形態に係る情報表示システム１は、第３の実施の形態に係るサーバ１２と端末装置２２とを除き第１の実施の形態に係る情報表示システム１と同等のため、システムの詳細な説明は省略し、サーバ１２と端末装置２２とについて説明を行う。
【０２５７】
まず、サーバ１２と端末装置２２の構成について図面を参照して説明を行う。
【０２５８】
図１９は、第３の実施の形態に係るサーバ１２の構成の一例を示すブロック図である。図１９において図２と同じ構成は同じ番号を付し、詳細な説明は省略する。第３の実施の形態に係るサーバ１２は、第１の実施の形態に係る構成に加え、通知処理部１０７を含んでいる。通知処理部１０７は、端末接続部１３０を介して端末装置２２に音又は鳴動を用いた通知の指示を行う。
【０２５９】
図２０は、第３の実施の形態に係る端末装置２２の構成の一例を示すブロック図である。図２０において図６と同じ構成は同じ番号を付し、詳細な説明は省略する。第３の実施の形態に係る端末装置２２は、第１の実施の形態に係る端末装置２０の構成に加え、通知部２０９を含んでいる。通知部２０９は、図示しないスピーカ又は振動モータを含み、サーバ１２の通知処理部１０７の指示に基づき、音又は鳴動を用いた通知を行う。
【０２６０】
次に、第３の実施の形態に係る情報表示システム１の動作について説明を行う。なお、第３の実施の形態に係る情報表示システム１は、音又は鳴動を用いた通知を除き、第１の実施の形態に係る情報表示システム１の動作と同等のため、同じ動作については詳細な説明は省略し、第３の実施の形態の特有の通知動作について詳細に説明を行う。
【０２６１】
なお、第３の実施の形態の通知動作の一例として、所定の順番以上の登録情報に登録されている周辺情報に近づいた場合の通知動作について説明を行うが、第３の実施の形態に係る通知動作はこれに限られるわけではない。第３の実施の形態に係る情報表示システム１は、保存されている周辺情報に対して通知動作を行っても良く、予め利用者が選択した周辺情報に関して通知を行っても良い。
【０２６２】
図２１は、第３の実施の形態に係る情報表示システム１の通知動作の一例を示すシーケンス図である。
【０２６３】
端末装置２２の制御部２０１は、所定の時間間隔で位置情報取得部２０２から位置情報を取得し、サーバ接続部２０４を介してサーバ１２に送付する。
【０２６４】
位置情報を受け取ったサーバ１２の端末接続部１３０は、位置情報を通知処理部１０７に渡す。
【０２６５】
位置情報を受け取った通知処理部１０７は、受け取った位置情報を検索部１０２に渡して、位置情報の所定の範囲内に登録情報として登録されている周辺情報が有るかどうかの検索を検索部１０２に依頼する。
【０２６６】
依頼を受けた検索部１０２は、受け取った位置情報の所定の範囲内に周辺情報が周辺情報保持部１２１に保持されているかどうかを検索する。もし、保持されている場合、検索部１０２は、検索された周辺情報が登録情報保持部１２２に登録情報として保持されているかを検索する。登録情報として保持されていた場合、検索部１０２は、登録情報として保存されている周辺情報を通知処理部１０７に返す。
【０２６７】
一方、検索の結果、周辺情報が無かった場合、及び、登録情報に該当する周辺情報が無かった場合、検索部１０２は、周辺情報が無いことを通知処理部１０７に返す。
【０２６８】
登録情報となっている周辺情報が有った場合、通知処理部１０７は、端末接続部１３０を介して、所定の通知内容、例えば、周辺情報が有ることを示す音又は鳴動の指示、又は、通知動作の内容（例えば、通知の音の高さ、音量、通知長さ）を示す通知情報を、端末装置２２に通知する。
【０２６９】
一方、位置情報に近い周辺情報が無い又は登録情報として登録された周辺情報が無い場合、本実施の形態に係る通知処理部１０７は、端末装置２２に通知を返さない。これは、不必要は、通信を避けるためである。ただし、通知処理部１０７は、端末装置２２に通知の必要がないとの回答を返却するようにしてもよい。この場合、端末装置２２は、回答の受信を行い、その他の動作は行わない。
【０２７０】
サーバ１２からサーバ接続部２０４を介して通知情報を受け取った制御部２０１は、通知情報を基に通知部２０９に指示を行い、音又は鳴動を用いた通知を行う。
【０２７１】
なお、通知処理部１０７は、登録情報の順番に基づき、通知情報で通知する通知処理の内容を変更するようにしてもよい。
【０２７２】
また、通知処理部１０７は、端末装置２２の撮影部２０５の方向情報も受け取り、登録情報と撮影部２０５との角度を基に通知処理の内容を変えるようにしてもよい。
【０２７３】
さらに、端末装置２２は、サーバ１２の通知処理部１０７からの指示に基づき通知するだけではなく、制御部２０１が判断して通知を行うようにしてもよい。例えば、制御部２０１は、サーバ１１から、通知の対象となった登録情報に登録されている周辺情報を受け取り、位置情報と方向情報とを基に、周辺情報の対象物と撮影部２０５との角度に基づき通知部２０９で通知する通知内容を変えるようにしてもよい。
【０２７４】
第３の実施の形態に係る情報表示システム１は、第１の実施の形態に係る効果に加え、利用者の利便をさらに向上する効果を得ることができる。
【０２７５】
その理由は、第３の実施の形態に係る情報表示システム１は、端末装置２０が登録情報として登録されている周辺情報の所定の範囲内に入った場合に、音を用いた通知を行うようにしたためである。
【０２７６】
なお、この出願は、２０１０年４月２１日に出願した、日本特許出願番号２０１０−０９７６２６号を基礎とする優先権を主張し、その開示の全てをここに取り込む。
【０２７７】
上記の実施の形態の一部又は全部は、以下の付記のようにも記載されうるが、以下には限られない。
（付記）
（付記１）
対象物の情報を含む周辺情報を保持する周辺情報保持部と、
前記周辺情報の選択指示を受けて選択された前記周辺情報に関する情報を登録情報として保持する登録情報保持部と、
前記登録情報に基づき、利用者の嗜好に応じた前記周辺情報の選択情報を設定する嗜好分析部と、
画像情報を取り込む撮影部と、
前記撮影部の略位置を示す位置情報を取得する位置情報取得部と、
前記略位置の所定の範囲に入る前記周辺情報を検索し、前記検索後の前記周辺情報を前記選択情報に基づき整列する検索部と、
前記検索部によって整列された選択情報のうち整列順の上位の周辺情報と前記画像情報とを重ねて又は合成して表示する情報表示部と
を備えることを特徴とする情報表示装置。
（付記２）
前記登録情報保持部に登録情報を追加又は修正する情報登録部を備えることを特徴とする付記１に記載の情報表示装置。
（付記３）
前記嗜好分析部が、前記登録情報に基づく嗜好分析情報を求め、前記嗜好分析情報に含まれる嗜好に関連する前記周辺情報を抽出し、
前記情報登録部が、前記関連する周辺情報を前記登録情報に追加することを特徴とする付記１又は付記２に記載の情報表示装置。
（付記４）
前記情報登録部が、登録する前記周辺情報と前記周辺情報を登録する利用者とを指定する情報を受け、前記指定された利用者の前記登録情報に前記指定された周辺情報を登録することを特徴とする付記１乃至付記３のいずれかに記載の情報表示装置。
（付記５）
前記周辺情報に追加する情報を受け取り、前記周辺情報保持部が保持する周辺情報に追加する書き込み処理部を備えることを特徴とする付記１乃至付記４のいずれかに記載の情報表示装置。
（付記６）
前記書き込み処理部は、前記追加した周辺情報を前記登録情報に追加することを特徴とする付記５に記載の情報表示装置。
（付記７）
前記撮影部の方向情報を取得する方向情報取得部を備え、
前記情報表示部が、前記方向情報に基づき、前記整列後の所定の順位の周辺情報から前記画像情報と重ねて又は合成して表示する周辺情報を選択する付記１乃至付記６のいずれかに記載の情報表示装置。
（付記８）
前記情報表示部が、前記方向情報に基づき選択しなかった周辺情報において、前記登録情報の所定の選択情報の登録情報に対応する周辺情報も表示することを特徴とする付記７に記載の情報表示装置。
（付記９）
前記検索部が、前記略位置の所定の範囲に入る前記周辺情報を検索し、前記検索結果の周辺装置に前記登録情報に登録されている周辺情報を検索し、
前記検索部の検索の結果、前記登録情報に登録されている周辺情報が有った場合に通知を行う通知部を備えることを特徴とする付記１乃至付記８のいずれかに記載の情報表示装置。
（付記１０）
前記情報表示部が、
前期検索部が前記略位置の所定の範囲に入る前記周辺情報を検索後、
前記検索後の前記周辺情報を前記選択情報に基づき整列することを特徴とする付記１乃至付記９のいずれかに記載の情報表示装置。
（付記１１）
対象物の情報を含む周辺情報を保持する周辺情報保持部と、
前記周辺情報の選択指示を受けて選択された前記周辺情報に関する情報を登録情報として保持する登録情報保持部と、
画像情報を取り込む撮影部と、
前記撮影部の略位置を示す位置情報を取得する位置情報取得部と、
前記略位置の所定の範囲に入る前記周辺情報を検索し、前記検索結果の周辺装置に前記登録情報に登録されている周辺情報を検索する検索部と、
前記検索部の検索の結果、前記登録情報に登録されている周辺情報が有った場合に通知を行う通知部を備えることを特徴とする情報表示装置。
（付記１２）
対象物の情報を含む周辺情報を保持する周辺情報保持部と、
前記周辺情報の選択指示を受けて選択された前記周辺情報に関する情報を登録情報として保持する登録情報保持部と、
前記登録情報に基づき、利用者の嗜好に応じた前記周辺情報の選択情報を設定する嗜好分析部と、
位置情報を取得する位置情報取得部と、
前記位置情報の所定の範囲に入る前記周辺情報を検索し、前記検索後の前記周辺情報を前記選択情報に基づき整列する検索部と
を備えることを特徴とする情報表示サーバ。
（付記１３）
前記登録情報保持部に登録情報を追加又は修正する情報登録部を備えることを特徴とする付記１２に記載の情報表示サーバ。
（付記１４）
前記嗜好分析部が、前記登録情報を基に嗜好分析情報を求め、前記嗜好分析情報に含まれる嗜好に関連する前記周辺情報を抽出し、
前記情報登録部が、前記関連する周辺情報を前記登録情報に追加することを特徴とする付記１２又は付記１３に記載の情報表示サーバ。
（付記１５）
前記情報登録部が、登録する前記周辺情報と前記周辺情報を登録する利用者とを指定する情報を受け、前記指定された利用者の前記登録情報に前記指定された周辺情報を登録することを特徴とする付記１２乃至付記１４のいずれかに記載の情報表示サーバ。
（付記１６）
前記周辺情報に追加する情報を受け取り、前記周辺情報保持部が保持する周辺情報に追加する書き込み処理部を備えることを特徴とする付記１２乃至付記１５のいずれかに記載の情報表示サーバ。
（付記１７）
前記書き込み処理部は、前記追加した周辺情報を前記登録情報に追加することを特徴とする付記１６に記載の情報表示サーバ。
（付記１８）
対象物の情報を含む周辺情報を保持する周辺情報保持部と、
前記周辺情報の選択指示を受けて選択された前記周辺情報に関する情報を登録情報として保持する登録情報保持部と、
位置情報を取得し、前記位置情報の所定の範囲に入る前記周辺情報を検索し、前記検索結果の周辺装置に前記登録情報に登録されている周辺情報を検索する検索部と、
前記検索部の検索の結果、前記登録情報に登録されている周辺情報が有った場合に通知を行う通知部を備えることを特徴とする情報表示サーバ。
（付記１９）
画像情報を取り込む撮影部と、
前記撮影部の略位置を示す位置情報を取得する位置情報取得部と、
前記撮影部の略位置を示す位置情報を送信し、前記略位置の所定の範囲に入る整列された周辺情報を取得し、前記整列された周辺情報のうちの整列順の上位の周辺情報と前記画像情報とを重ねて又は合成して表示する情報表示部と
を備えることを特徴とする情報表示端末。
（付記２０）
前記撮影部の方向情報を取得する方向情報取得部を備え、
前記情報表示部が、前記方向情報に基づき、前記整列後の所定の順位の周辺情報から前記画像情報と重ねて又は合成して表示する周辺情報を選択する付記１９に記載の情報表示端末。
（付記２１）
前記情報表示部が、前記方向情報に基づき選択しなかった周辺情報において、前記登録情報の所定の選択情報に合致する登録情報に対応する周辺情報も表示することを特徴とする付記２０に記載の情報表示端末。
（付記２２）
画像情報を取り込む撮影部と、
前記撮影部の略位置を示す位置情報を取得する位置情報取得部と、
前記位置情報を送信し、前記位置情報と所定の位置関係にある周辺情報が有った場合に指示を受けて通知を行う通知部を備えることを特徴とする情報表示端末。
（付記２３）
対象物の情報を含む周辺情報を保持し、
前記周辺情報の選択指示を受けて選択された前記周辺情報に関する情報を登録情報として保持し、
前記登録情報に基づき、利用者の嗜好に応じた前記周辺情報の選択情報を設定し、
画像情報を取り込み、
前記画像情報の取り込みの略位置を示す位置情報を取得し、
前記略位置の所定の範囲に入る前記周辺情報を検索し、
前記検索後の前記周辺情報を前記選択情報に基づき整列し、
前記整列された選択情報のうち整列順の上位の周辺情報と前記画像情報とを重ねて又は合成して表示する
ことを特徴とする情報表示方法。
（付記２４）
前記登録情報を追加又は修正することを特徴とする付記２３に記載の情報表示方法。
（付記２５）
前記登録情報を基に嗜好分析情報を求め、前記嗜好分析情報に含まれる嗜好に関連する前記周辺情報を抽出し、
前記関連する周辺情報を前記登録情報に追加することを特徴とする付記２３又は付記２４に記載の情報表示方法。
（付記２６）
登録する前記周辺情報と前記周辺情報を登録する利用者とを指定する情報を受け、前記指定された利用者の前記登録情報に前記指定された周辺情報を登録することを特徴とする付記２３乃至付記２５のいずれかに記載の情報表示方法。
（付記２７）
前記周辺情報に追加する情報を受け取り、前記周辺情報に追加することを特徴とする付記２３乃至付記２６のいずれかに記載の情報表示方法。
（付記２８）
前記追加した周辺情報を前記登録情報に追加することを特徴とする付記２７に記載の情報表示方法。
（付記２９）
前記画像情報の撮影の方向情報を取得し、
前記方向情報に基づき、前記整列後の所定の順位の周辺情報から前記画像情報と重ねて又は合成して表示する周辺情報を選択する付記２３乃至付記２８のいずれかに記載の情報表示方法。
（付記３０）
前記方向情報に基づき選択しなかった周辺情報において、前記登録情報の所定の選択情報の登録情報に対応する周辺情報も表示することを特徴とする付記２９に記載の情報表示方法。
（付記３１）
前記略位置の所定の範囲に入る前記周辺情報を検索し、前記検索結果の周辺装置に前記登録情報に登録されている周辺情報を検索し、
前記検索部の検索の結果、前記登録情報に登録されている周辺情報が有った場合に通知を行うことを特徴とする付記２３乃至付記３０のいずれかに記載の情報表示方法。
（付記３２）
対象物の情報を含む周辺情報を保持し、
前記周辺情報の選択指示を受けて選択された前記周辺情報に関する情報を登録情報として保持し、
画像情報を取り込み、
画像情報の取り込みの略位置を示す位置情報を取得し、
前記略位置の所定の範囲に入る前記周辺情報を検索し、前記検索結果の周辺装置から前記登録情報に登録されている周辺情報を検索し、
検索の結果、前記登録情報に登録されている周辺情報が有った場合に通知を行うことを特徴とする情報表示方法。
（付記３３）
対象物の情報を含む周辺情報を保持する処理と、
前記周辺情報の選択指示を受けて選択された前記周辺情報に関する情報を登録情報として保持する処理と、
前記登録情報に基づき、利用者の嗜好に応じた前記周辺情報の選択情報を設定する処理と、
画像情報を取り込む処理と、
前記画像情報の取り込みの略位置を示す位置情報を取得する処理と、
前記略位置の所定の範囲に入る前記周辺情報を検索する処理と、
前記検索後の前記周辺情報を前記選択情報に基づき整列する処理と、
前記整列された周辺情報のうち整列順の上位の周辺情報と前記画像情報とを重ねて又は合成して表示する処理とを
コンピュータに実行させることを特徴とする情報表示プログラム。
（付記３４）
さらに、前記登録情報を追加又は修正する処理を実行させることを特徴とする付記３３に記載の情報表示プログラム。
（付記３５）
前記登録情報を基に嗜好分析情報を求め、前記嗜好分析情報に含まれる嗜好に関連する前記周辺情報を抽出する処理と、
前記関連する周辺情報を前記登録情報に追加する処理を実行させること特徴とする付記３３又は付記３４に記載の情報表示プログラム。
（付記３６）
登録する前記周辺情報と前記周辺情報を登録する利用者とを指定する情報を受け、前記指定された利用者の前記登録情報に前記指定された周辺情報を登録する処理を実行させることを特徴とする付記３３乃至付記３５のいずれかに記載の情報表示プログラム。
（付記３７）
前記周辺情報に追加する情報を受け取り、前記周辺情報に追加する処理を実行させることを特徴とする付記３３乃至付記３６のいずれかに記載の情報表示プログラム。
（付記３８）
前記追加した周辺情報を前記登録情報に追加する処理を実行させることを特徴とする付記３７に記載の情報表示プログラム。
（付記３９）
前記画像情報の撮影の方向情報を取得する処理と、
前記方向情報に基づき、前記整列後の所定の順位の周辺情報から前記画像情報と重ねて又は合成して表示する周辺情報を選択する処理を実行させることを特徴とする付記３３乃至付記３８のいずれかに記載の情報表示プログラム。
（付記４０）
前記方向情報に基づき選択しなかった周辺情報において、前記登録情報の所定の選択情報の登録情報に対応する周辺情報も表示する処理を実行させることを特徴とする付記３９に記載の情報表示プログラム。
（付記４１）
前記略位置の所定の範囲に入る前記周辺情報を検索し、前記検索結果の周辺装置に前記登録情報に登録されている周辺情報を検索する処理と、
前記検索部の検索の結果、前記登録情報に登録されている周辺情報が有った場合に通知を行う処理を実行させることを特徴とする付記３３乃至付記４０のいずれかに記載の情報表示プログラム。
（付記４２）
対象物の情報を含む周辺情報を保持する処理と、
前記周辺情報の選択指示を受けて選択された前記周辺情報に関する情報を登録情報として保持する処理と、
画像情報を取り込む処理と、
画像情報の取り込みの略位置を示す位置情報を取得する処理と、
前記略位置の所定の範囲に入る前記周辺情報を検索し、前記検索結果の周辺装置から前記登録情報に登録されている周辺情報を検索する処理と、
検索の結果、前記登録情報に登録されている周辺情報が有った場合に通知を行う処理をコンピュータに実行させることを特徴とする情報表示プログラム。
【産業上の利用可能性】
【０２７８】
本発明は、複数人が集合する場合の待ち合わせツールにも使用することができる。
【符号の説明】
【０２７９】
１    情報表示システム
２    情報表示装置
３    情報表示装置
１０    サーバ
１１    サーバ
１２    サーバ
２０    端末装置
２１    端末装置
２２    端末装置
３０    ネットワーク
４０    基地局
１００    制御部
１０１    認証部
１０２    検索部
１０３    表示処理部
１０４    情報登録部
１０５    嗜好分析部
１０６    書き込み処理部
１０７    通知処理部
１２０    認証情報保持部
１２１    周辺情報保持部
１２２    登録情報保持部
１３０    端末接続部
１３１    外部接続部
２０１    制御部
２０２    位置情報取得部
２０３    方向情報取得部
２０４    サーバ接続部
２０５    撮影部
２０６    情報表示部
２０７    入力部
２０８    無線部
２０９    通知部
２２０    ＷＥＢブラウザ
【図１】
2011243183.tif 000003
【図２】
2011243183.tif 000004
【図３】
2011243183.tif 000005
【図４】
2011243183.tif 000006
【図５】
2011243183.tif 000007
【図６】
2011243183.tif 000008
【図７】
2011243183.tif 000009
【図８】
2011243183.tif 000010
【図９】
2011243183.tif 000011
【図１０】
2011243183.tif 000012
【図１１】
2011243183.tif 000013
【図１２】
2011243183.tif 000014
【図１３】
2011243183.tif 000015
【図１４】
2011243183.tif 000016
【図１５】
2011243183.tif 000017
【図１６】
2011243183.tif 000018
【図１７】
2011243183.tif 000019
【図１８】
2011243183.tif 000020
【図１９】
2011243183.tif 000021
【図２０】
2011243183.tif 000022
【図２１】
2011243183.tif 000023